(57)【要約】【課題】  本発明は、物品を梱包する際に、押えシート及び積載平板部の間に物品を挿入するための空間を形成することなく、簡単及び容易に、物品を梱包できる梱包用緩衝材を提供する。【解決手段】  梱包用緩衝材Ｘ１は、基礎平板体１、押えシート２及び梱包窓穴３を備える。基礎平板体１は、下平板４及び上平板５で構成される。下平板４は、積載平板部６、一対の第１立上げ平板部７，８で構成される。上平板５は、一対の第２立上げ平板部１５，１６、一対の第３立上げ平板部１７，１８及び折返平板部１９で構成される。物品Ｚを梱包する際に、物品Ｚを積載平板部６の表面６Ｘに積載し、上平板５を下平板４の表面４Ｘに折返して、積載平板部６上の物品Ｚを押えシート２で被覆する。各第３立上げ平板部17，１８及び折返平板部１９を積載平板部６の裏面６Ｙに折返し、及び第１乃至第３立上げ平板部７，８，１５，１６，１７，１８を積載平板部６の表面６Ｘ側に立上げる。【選択図】  図１
2018076086.tif 000002
【特許請求の範囲】
【請求項１】
上板縁、下板縁及び左右一対の側板縁を有し、所定の板厚の基礎平板体と、押えシートと、を備える梱包用緩衝材であって、
前記基礎平板体は、
前記下板縁に第１間隔を隔てて平行配置され、前記各側板縁に交差する第１直線と、
前記第１直線及び前記上板縁の間に位置して前記第１直線に前記第１間隔を隔てて平行配置され、前記各側板縁に交差する第２直線と、
前記各側板縁に第２間隔を隔てて配置され、相互に第３間隔を隔てて平行配置され、及び前記第１及び第２直線に直交して前記上板縁及び前記下板縁に交差する一対の第３直線と、
前記第２直線及び前記上板縁の間に位置して、前記第２直線に前記基礎平板体の板厚以上の第４間隔を隔てて平行配置され、前記各第３直線に直交して前記各側板縁に交差する第４直線と、を有し、
前記基礎平板体を貫通して前記基礎平板体の表面及び裏面に開口され、前記第４直線上又は前記第４直線より前記上板縁側に位置して前記下板縁に平行配置される上窓穴縁、前記各第３直線より前記各側板縁側に位置して前記各第３直線に平行配置される一対の側窓穴縁、前記第１直線上に位置して又は前記第１直線より前記上板縁側又は前記下板縁側に位置して前記下板縁に平行配置される下窓穴縁を有する梱包窓穴と、
前記第１直線、前記下板縁及び前記各側板縁とで区画される下平板と、
前記第１直線、前記上板縁及び前記各側板縁とで区画され、前記第１直線に沿って前記下平板の表面に折返される上平板と、で構成され、
前記下平板は、
前記各第３直線、前記下板縁、及び前記梱包窓穴の前記下窓穴縁とで区画される積載平板部と、
前記第１直線、前記各第３直線、前記下板縁及び前記各側板縁とで区画され、前記各第３直線に沿って前記積載平板部の表面側に立上げられる一対の第１立上げ平板部と、を有し、
前記上平板は、
前記第１直線、前記第２直線、前記梱包窓穴の各側窓穴縁及び前記各側板縁とで区画され、前記第１直線に沿って前記各第１立上げ平板部の表面に折返され、及び前記各第３直線に沿って前記積載平板部の表面側に立上げられる一対の第２立上げ平板部と、
前記第４直線、前記各第３直線、前記上板縁及び前記各側板縁とで区画され、前記第２及び第４直線に沿って前記各第１立上げ平板部の裏面に折返され、及び前記各第３直線に沿って前記積載平板部の表面側に立上げられる一対の第３立上げ平板部と、
前記各第３直線、前記梱包窓穴の前記上窓穴縁及び前記上板縁とで区画され、前記第２直線に沿って前記積載平板部の裏面に折返される折返平板部と、を有し、
前記押えシートは、
前記梱包窓穴の前記各側窓縁に間隔を隔てて前記梱包窓穴を覆い、
上側シート端側を前記折返平板部の裏面に固定し、及び下側シート端側を前記積載平板部の裏面に固定して配置される
ことを特徴とする梱包用緩衝材。
【請求項２】
前記梱包窓穴の内側に配置され、前記下窓穴縁上の第５直線に沿って前記積載平板部に連設され、前記第５直線に沿って前記積載平板部の表面に折返される補強平板を備える
ことを特徴とする請求項１に記載の梱包用緩衝材。
【請求項３】
上板縁、下板縁及び左右一対の側板縁を有し、所定の板厚の基礎平板体と、押えシートと、を備える梱包用緩衝材であって、
前記基礎平板体は、
前記下板縁に第１間隔を隔てて平行配置され、前記各側板縁に交差する第１直線と、
前記各側板縁に第２間隔を隔てて配置され、相互に第３間隔を隔てて平行配置され、前記第１直線、前記基礎平板体の上板縁及び下板縁に直交する一対の第２直線と、を有し、
前記第１直線、前記下板縁及び前記各側板縁とで区画される下平板と、
前記第１直線、前記上板縁及び前記各側板縁とで区画され、前記第１直線を境として前記下平板の表面に折返される上平板と、で構成され、
前記各側板縁は、前記第１直線及び前記上板縁の間に位置する上側板縁、前記第１直線及び前記下板縁の間に位置する下側板縁を有し、
前記下平板は、
前記第１直線に第４間隔を隔てて平行配置され、前記下板縁に第５間隔を隔てて平行配置され、前記各第２直線に直交する第３直線と、
前記各側板縁の前記下側板縁を構成し、前記各第２直線及び前記第３直線の各第１交点から延在され、前記下板縁に直交する一対の第１下側板縁部と、
前記各側板縁の前記下側板縁を構成し、前記各第２直線に鋭角度をなして前記各第１交点から前記各下側板縁及び前記第１直線に向けて延在される一対の第２下側板縁部と、を有し、
前記第１直線、前記各第２直線、前第３直線とで区画される積載平板部と、
前記第１直線、前記各第２直線、前記第２下側板縁部側の前記各側板縁とで区画され、前記各第２直線に沿って前記積載平板部の表面側に立上げられる一対の第１立上げ平板部と、
前記第３直線、前記各第１下側板縁部、及び前記下板縁とで区画され、前記第３直線に沿って前記積載平板部の裏面側に立下げられる下脚平板部と、
前記第３直線に沿って前記積載平板部に連設され、前記下板縁側に突出して形成される係止平板部と、で構成され、
前記上平板は、
前記各第２直線より前記各上側板縁側に位置して前記各２直線に第６間隔を隔てて平行配置され、前記上板縁に直交する一対の第４直線と、
前記第１直線に前記第３間隔を隔てる前記各第２直線上の各基点において、前記各第２直線に前記鋭角度をなして、前記各基点から前記上側板縁及び前記第１直線に向けて延在される一対の第５直線と、
前記各第５直線に前記基礎平板体の板厚以上の第７間隔を隔てて平行配置され、前記各第４直線との各第２交点及び前記各上側板縁に交差する一対の第６直線と、を有し、
前記上平板を貫通して前記上平板の表面及び裏面に開口され、前記各第２交点の間に延在して前記下板縁に平行配置される上窓穴縁、前記各第４直線上に位置して前記各第２直線に平行配置される一対の側窓穴縁、前記第１直線上に位置して又は前記第１直線より前記上板縁側又は前記下板縁側に位置して前記下板縁に平行配置される下窓穴縁を有する梱包窓穴と、
前記第１直線、前記各第５直線、前記梱包窓穴の前記各側窓穴縁、及び前記各上側板縁とで区画され、前記第１直線に沿って前記各第１立上げ平板部の表面に折返され、及び前記各第４直線に沿って前記積載平板部の表面側に立上げられる一対の第２立上げ平板部と、
前記各第４直線、前記上板縁、及び前記梱包窓穴の前記上窓穴縁とで区画され、前記上窓穴縁に沿って前記積載平板部の裏面側に立下げられる上脚平板部と、
前記各第６直線、前記各第４直線、前記上板縁及び前記各上側板縁とで区画され、前記各第５直線及び前記各第６直線に沿って前記各第１立上げ平板部の裏面に折返えされ、及び前記各第４直線に沿って前記積載平板部の表面側に立上げられ及び裏面側に立下げられる一対の側脚平板部と、
前記係止平板部に対向して前記上脚平板部に形成され、前記上脚平板部を貫通して前記上窓穴縁にて前記梱包窓穴に開口され、前記係止平板部を圧入自在とする係止溝穴と、で構成され、
前記押えシートは、
前記梱包窓穴の前記各側窓穴縁に間隔を隔てて前記梱包窓穴を覆い、
上側シート端側を前記上脚平板部の裏面に固定し、及び下側シート端側を前記積載平板部の裏面に固定して配置される
ことを特徴とする梱包用緩衝材。
【請求項４】
前記梱包窓穴の内側に配置され、前記下窓穴縁上の直線に沿って前記積載平板部に連設され、前記直線に沿って前記積載平板部の表面に折返される補強平板を備える
ことを特徴とする請求項３に記載の梱包用緩衝材。
【請求項５】
上板縁、下板縁及び左右一対の側板縁を有し、所定の板厚の基礎平板体と、押えシートと、を備える梱包用緩衝材であって、
前記基礎平板体は、
前記下板縁に第１間隔を隔てて平行配置され、前記各側板縁に交差する第１直線と、
前記各側板縁に第２間隔を隔てて配置され、相互に第３間隔を隔てて平行配置され、前記第１直線、前記基礎平板体の上板縁及び下板縁に直交する一対の第２直線と、を有し、
前記第１直線、前記下板縁及び前記各側板縁で区画される下平板と、
前記第１直線、前記上板縁及び前記各側板縁で区画され、前記第１直線を境にして前記下平板の表面に折返される上平板と、で構成され、
前記各側板縁は、前記第１直線及び前記上板縁の間に位置する上側板縁、前記第１直線及び前記下板縁の間に位置する下側板縁を有し、
前記下平板は、  
前記第１直線に第４間隔を隔てて平行配置され、前記下板縁に第５間隔を隔てて平行配置され、前記各第２直線に直交する第３直線と、
前記各側板縁の前記下側板縁を構成し、前記各第２直線及び前記第３直線の各第１交点から延在され、前記下板縁に直交する一対の第１下側板縁部と、
前記各側板縁の前記下側板縁を構成し、前記各第２直線に鋭角度をなして前記各第１交点から前記各下側板縁及び前記第１直線に向けて延在される一対の第２下側板縁部と、を有し、
前記第１直線、前記各第２直線、前第３直線とで区画される積載平板部と、
前記第１直線、前記各第２直線、前記第２下側板縁部側の前記各側板縁とで区画され、前記各第２直線に沿って前記積載平板部の表面側に立上げられる一対の第１立上げ平板部と、
前記第３直線、前記各第１下側板縁部、及び前記下板縁とで区画され、前記第３直線に沿って前記積載平板部の裏面側に立下げられる下脚平板部と、で構成され、
前記上平板は、
前記各第２直線より前記各上側板縁側に位置して前記各２直線に第６間隔を隔てて平行配置され、前記上板縁に直交する一対の第４直線と、
前記第１直線に前記第３間隔を隔てる前記各第２直線上の各基点において、前記各第２直線に前記鋭角度をなして、前記各基点から前記上側板縁及び前記第１直線に向けて延在される一対の第５直線と、
前記各第５直線に前記基礎平板体の板厚以上の第７間隔を隔てて平行配置され、前記各第４直線との各第２交点及び前記各上側板縁に交差する一対の第６直線と、を有し、
前記上平板を貫通して前記上平板の表面及び裏面に開口され、前記各第２交点の間に延在して前記下板縁に平行配置される上窓穴縁、前記各第４直線上に位置して前記各第２直線に平行配置される一対の側窓穴縁、前記第１直線上に位置して又は前記第１直線より前記上板縁側又は前記下板縁側に位置して前記下板縁に平行配置される下窓穴縁を有する梱包窓穴と、
前記第１直線、前記各第５直線、前記梱包窓穴の前記各側窓穴縁、及び前記各上側板縁とで区画され、前記第１直線に沿って前記各第１立上げ平板部の表面に折返され、及び前記各第４直線に沿って前記積載平板部の表面側に立上げられる一対の第２立上げ平板部と、
前記各第４直線、前記上板縁、及び前記梱包窓穴の前記上窓穴縁とで区画され、前記上窓穴縁に沿って前記積載平板部の裏面側に立下げられる上脚平板部と、
前記各第６直線、前記各第４直線、前記上板縁及び前記各上側板縁とで区画され、前記各第５直線及び前記各第６直線に沿って前記各第１立上げ平板部の裏面に折返えされ、及び前記各第４直線に沿って前記積載平板部の表面側に立上げられ及び裏面側に立下げられる一対の側脚平板部と、で構成され、
前記押えシートは、
前記梱包窓穴の前記各側窓穴縁に間隔を隔てて前記梱包窓穴を覆い、
上側シート端側を前記上脚平板部の裏面に固定し、及び下側シート端側を前記積載平板部の裏面に固定して配置される
ことを特徴とする梱包用緩衝材。
【発明の詳細な説明】
【技術分野】
【０００１】
本発明は、物品（商品）を梱包して運搬（運送）する梱包用緩衝材に関する。
【背景技術】
【０００２】
梱包用緩衝材として、特許文献１は、物品運送用梱包具を開示する。物品運送用梱包具は、ベースボード、一対の立下り部分、一対の立上り部分、及び抑えシートを備える。各立下り部分は、ベースボードの両端縁に連設され、脚部及び底部分を有する。各立上り部分は、ベースボードの両側縁に連設される。抑えシートは、ベースボードの表面に積層され、立下り部分の両端縁に固定される。
物品運送用梱包具では、抑えシートをベースシートから離間して、抑えシート及びベースボードの間に空間を形成し、物品を抑えシート及びベースボードの空間に挿入してベースボード上に積載する。物品運送用梱包具では、各立上り部分をベースボードの両側縁から上向きに折返して、保形部分を起立する。また、各立下り部分を両端縁から下向きに折返して、脚部をベースボードに対して直角姿勢に保形し、及び底部分を平行方向に保形する。抑えシートは、立下り部分の折返しにより、緊張して物品をベースボードに定着する。
物品を梱包した物品運送用梱包具は、各底部分から外箱内に収納され、ベースボード下面には各脚部の立上り高さの空間を形成する。
【先行技術文献】
【特許文献】
【０００３】
【特許文献１】特開２００６−２４８５４９号公報
【発明の概要】
【発明が解決しようとする課題】
【０００４】
しかし、特許文献１では、物品を梱包する際に、抑えシートを摘まんで、抑えシート及びベースシートの間に空間を形成する必要があるため、物品の梱包作業が複雑となる。
【０００５】
本発明は、物品を梱包する際に、押えシート及び積載平板部の間に物品を挿入するための空間を形成することなく、簡単及び容易に、物品を梱包できる梱包用緩衝材を提供することにある。
【課題を解決するための手段】
【０００６】
発明に係る請求項１は、上板縁、下板縁及び左右一対の側板縁を有し、所定の板厚の基礎平板体と、押えシートと、を備える梱包用緩衝材であって、前記基礎平板体は、前記下板縁に第１間隔を隔てて平行配置され、前記各側板縁に交差する第１直線と、前記第１直線及び前記上板縁の間に位置して前記第１直線に第１間隔を隔てて平行配置され、前記各側板縁に交差する第２直線と、前記各側板縁に第２間隔を隔てて配置され、相互に第３間隔を隔てて平行配置され、及び前記第１及び第２直線に直交して前記上板縁及び前記下板縁に交差する一対の第３直線と、前記第２直線及び前記上板縁の間に位置して、前記第２直線に前記基礎平板体の板厚以上の第４間隔を隔てて平行配置され、前記各第３直線に直交して前記各側板縁に交差する第４直線と、を有し、前記基礎平板体を貫通して前記基礎平板体の表面及び裏面に開口され、前記第４直線上又は前記第４直線より前記上板縁泡に位置して前記下板縁に平行配置される上窓穴縁、前記各第３直線より前記各側板縁側に位置して前記各第３直線に平行配置される一対の側窓穴縁、前記第１直線上に位置して又は前記第１直線より前記上板縁側又は前記下板縁側に位置して前記下板縁に平行配置される前記下窓穴縁を有する梱包窓穴と、前記第１直線、前記下板縁及び前記各側板縁とで区画される下平板と、前記第１直線、前記上板縁及び前記各板縁とで区画され、前記第１直線に沿って前記下平板の表面に折返される上平板と、で構成され、前記下平板は、前記各第３直線、前記下板縁、及び前記梱包窓穴の前記下窓穴縁と区画される積載平板部と、前記第１直線、前記各第３直線、前記下板縁及び前記各側板縁とで区画され、前記各第３直線に沿って前記積載平板部の表面側に立上げられる一対の第１立上げ平板部と、を有し、前記上平板は、前記第１直線、前記第２直線、前記梱包窓穴の各側窓穴縁及び前記各側板縁とで区画され、前記第１直線に沿って前記各第１立上げ平板部の表面に折返され、及び前記各第３直線に沿って前記積載平板部の表面側に立上げられる一対の第２立上げ平板部と、前記第４直線、前記各第３直線、前記上板縁及び前記各側板縁とで区画され、前記第２及び第４直線に沿って前記各第１立上げ平板部の裏面に折返され、及び前記各第３直線に沿って前記積載平板部の表面側に立上げられる一対の第３立上げ平板部と、前記各第３直線、前記梱包窓穴の前記上窓穴縁及び前記上板縁とで区画され、前記各第２直線に沿って前記積載平板部の裏面に折返される折返平板部と、を有し、前記押えシートは、前記梱包窓穴の前記各側窓穴縁に間隔を隔てて前記梱包窓穴を覆い、上側シート端側を前記折返平板部の裏面に固定し、及び下側シート端側を前記積載平板部の裏面に固定して配置されることを特徴とする梱包用緩衝材である。
【０００７】
本発明に係る請求項２は、前記梱包窓穴の内側に配置され、前記下窓穴縁上の第５直線に沿って前記積載平板部に連設され、前記第５直線に沿って前記積載平板部の表面に折返される補強平板部を備えることを特徴とする請求項１に記載の梱包用緩衝材である。
【０００８】
本発明に係る請求項３は、上板縁、下板縁及び左右一対の側板縁を有し、所定の板厚の基礎平板体と、押えシートと、を備える梱包用緩衝材であって、前記基礎平板体は、前記下板縁に第１間隔を隔てて平行配置され、前記各側板縁に交差する第１直線と、前記各側板縁に第２間隔を隔てて配置され、相互に第３間隔を隔てて平行配置され、前記第１直線、前記基礎平板体の上板縁及び下板縁に直交する一対の第２直線と、を有し、前記第１直線、前記下板縁及び前記各側板縁とで区画される下平板と、前記第１直線、前記上板縁及び前記各側板縁とで区画され、前記第１直線を境として前記下平板の表面に折返される上平板と、で構成され、前記各側板縁は、前記第１直線及び前記上板縁の間に位置する上側板縁、前記第１直線及び前記下板縁の間に位置する下側板縁を有し、前記下平板は、前記第１直線に第４間隔を隔てて平行配置され、前記下板縁に第５間隔を隔てて平行配置され、前記各第２直線に直交する第３直線と、前記各側板縁の前記下側板縁を構成し、前記各第２直線及び前記第３直線の各第１交点から延在され、前記下板縁に直交する一対の第１下側板縁部と、前記各側板縁の前記下側板縁を構成し、前記各第２直線に鋭角度をなして前記各第１交点から前記各下側板縁及び前記第１直線に向けて延在される一対の第２下側板縁部と、を有し、前記第１直線、前記各第２直線、前記第３直線とで区画される積載平板部と、前記第１直線、前記各第２直線、前記第２下側板縁部側の前記各側板縁とで区画され、前記各第２直線に沿って前記積載平板部の表面側に立上げられる一対の第１立上げ平板部と、前記第３直線、前記各第１下側板縁部、及び前記下板縁とで区画され、前記第３直線に沿って前記積載平板部の裏面側に立下げられる下脚平板部と、前記第１直線に沿って前記積載平板部に連設され、前記下板縁側に突出して形成される係止平板部と、で構成され、前記上平板は、前記各第２直線より前記各側板縁側に位置して前記各第２直線に第６間隔を隔てて平行配置され、前記上縁板に直交する一対の第４直線と、前記第１直線に前記第３間隔を隔てる前記各第２直線上の各基点において、前記各第２直線に前記鋭角度をなして、前記各基点から前記上側板縁及び前記第１直線に向けて延在される一対の第５直線と、前記各第５直線に前記基礎平板体の板厚以上の第７間隔を隔てて平行配置され、前記各第４直線との各第２交点及び前記各上側板縁に交差する一対の第６直線と、を有し、前記上平板を貫通して前記上平板の表面及び裏面に開口され、前記各第２交点の間に延在して前記下板縁に平行配置される上窓穴縁、前記各第４直線上に位置して前記各第２直線に平行配置される一対の側窓穴縁、前記第１直線上に位置して又は前記第１直線より前記上板縁側又は前記下板縁側に位置して前記下板縁に平行配置される下窓穴縁を有する梱包窓穴と、前記第１直線、前記各第５直線、前記梱包窓穴の前記各側窓穴縁、及び前各上側板縁とで区画され、前記第１直線に沿って前記各第１立上げ平板部の表面に折返され、及び前記各第４直線に沿って前記積載平板部の表面側に立上げられる一対の第２立上げ平板部と、前記各第４直線、前記上板縁、前記梱包窓穴の前記上窓穴縁とで区画され、前記上窓穴縁に沿って前記積載平板部の裏面側に立下げられる上脚平板部と、前記各第６直線、前記各第４直線、前記上板縁及び前記各上側板縁とで区画され、前記各第５及び前記各第６直線に沿って前記各第１立上げ平板部の裏面に折返され、及び前記各第４直線に沿って前記積載平板部の表面側に立上げられ及び裏面側に立下げられる一対の側脚平板部と、前記係止平板部に対向して前記上脚平板部に形成され、前記上脚平板部を貫通して前記上窓穴縁にて前記梱包窓穴に開口され、前記係止平板部を圧入自在とする係止溝穴と、で構成され、前記押えシートは、前記梱包窓穴の各側穴縁に間隔を隔てて前記梱包窓穴を覆い、上側シート端側を前記上脚平板部の裏面に固定し、及び下側シート端側を前記積載平板部の裏面に固定して配置されることを特徴とする梱包用緩衝材である。
【０００９】
本発明に係る請求項４は、前記梱包窓穴の内側に配置され、前記下窓穴縁上の直線に沿って前記積載平板部に連設され、前記直線に沿って前記積載平板部の表面に折返される補強平板部を備えることを特徴とする請求項３に記載の梱包用緩衝材である。
【００１０】
本発明に係る請求項５は、上板縁、下板縁及び左右一対の各側板縁を有し、所定の板厚の基礎平板体と、押えシートと、を備える梱包用緩衝材であって、前記基礎平板体は、前記下板縁に第１間隔を隔てて平行配置され、前記各側板縁に交差する第１直線と、前記各側板縁に第２間隔を隔てて配置され、相互に第３間隔を隔てて平行配置され、前記第１直線、前記基礎平板体の上板縁及び下板縁に直交する一対の第２直線と、を有し、前記第１直線、前記下板縁及び前記各側板縁とで区画される下平板と、前記第１直線、前記上板縁及び前記各側板縁とで区画され、前記第１直線を境として前記下平板の表面に折返される上平板と、で構成され、前記各側板縁は、前記第１直線及び前記上板縁の間に位置する上側板縁、前記第１直線及び前記下板縁の間に位置する下側板縁を有し、前記下平板は、前記第１直線に第４間隔を隔てて平行配置され、前記下板縁に第５間隔を隔てて平行配置され、前記各第２直線に直交する第３直線と、前記各側板縁の前記下側板縁を構成し、前記各第２直線及び前記第３直線の各第１交点から延在され、前記下板縁に直交する一対の第１下側板縁部と、前記各側板縁の前記下側板縁を構成し、前記各第２直線に鋭角度をなして前記各第１交点から前記各下側板縁及び前記第１直線に向けて延在される一対の第２下側板縁部と、を有し、前記第１直線、前各第２直線、前記第３直線とで区画される積載平板部と、前記第１直線、前記各第２直線、前記第２下側板縁部側の前記各側板縁とで区画され、前記各第２直線に沿って前記積載平板部の表面側に立上げられる一対の第１立上げ平板部と、前記第３直線、前記各第１下側板縁部、及び前記下板縁とで区画され、前記第３直線に沿って前記積載平板部の裏面側に立下げられる下脚平板部と、で構成され、前記上平板は、前記各第２直線より前記各上側板縁側に位置して前記各第２直線に第６間隔を隔てて平行配置され、前記上板縁に直交する一対の第４直線と、前記第１直線に前記第３直線を隔てる前記各第２直線上に各基点において、前記各第２直線に前記鋭角度をなして、前記各基点から前記上側板縁及び前記第１直線に向けて延在される一対の第５直線と、前記各第５直線に前記基礎平板体の板厚以上の第７間隔を隔てて平行配置され、前記各４直線との各第２交点及び前記各上側板縁に交差する一対の第６直線と、を有し、前記上平板を貫通して前記上平板の表面及び裏面に開口され、前記各第２交点の間に延在して前記下板縁に平行配置される上窓穴縁、前記各第４直線上に位置して前記各２直線に平行配置される一対の側窓穴縁、前記第１直線上に位置して又は前記第１直線より前記上板縁側又は前記下板縁側に位置して前記下板縁に平行配置される下窓穴縁を有する梱包窓穴と、前記第１直線、前記各第５直線、前記梱包窓穴の前記各側窓穴縁、及び前記各上側板縁とで区画され、前記第１直線に沿って前記各第１立上げ平板部の表面に折返され、及び前記各第４直線に沿って前記積載平板の表面側に立上げられる一対の第２立上げ平板部と、前記各第４直線、前記上板縁、及び前記梱包窓穴の前記上窓穴縁とで区画され、前記上窓穴縁に沿って前記積載平板部の裏面側に立下げられる上脚平板部と、前記各第６直線、前記各第４直線、前記上板縁及び前記各上側板縁とで区画され、前記各第５及び前記各第６直線に沿って前記各第１立上げ平板部の裏面に折返され、及び前記各第４直線に沿って前記積載平板部の表面側に立上げられ及び裏面側に立下げされる一対の側脚平板部と、で構成され、前記押えシートは、前記梱包窓穴の前記各側窓穴縁に間隔を隔てて前記梱包窓穴を覆い、上側シート端側を前記上脚平板部の裏面に固定し、及び下側シート端側を前記積載平板部の裏面に固定して配置されることを特徴とする梱包用緩衝材である。
【発明の効果】
【００１１】
本発明に係る請求項１では、第１に、展開した梱包用緩衝材において、物品を積載平板部の表面に積載する。物品は、梱包窓穴の内側に位置して積載平板部の表面に積載される。第２に、積載平板部上に物品を積載した状態において、上平板を第１直線に沿って下平板の表面に折返す。このとき、各第２上げ平板部は、各第１立上げ平板部の表面に折返され、各第３立上げ平板部は、各第１平板部において、基礎平板体１の下板縁から前方に突出して配置され、及び折返平板部は、積載平板部において、基礎平板体１の前方に突出して配置される。これにより、押えシートは、上平板の下平板の表面への折返しと共に、梱包窓穴の下窓穴縁（下窓穴縁面）に沿って、積載平板部の表面に折返される。押えシートは、積載平板部の表面に折返した状態において、積載平板部上の物品を覆って配置される。第３に、上平板を下平板の表面に折返した状態において、各第３立上げ平板部を各第２直線及び各第４直線に沿って各第１立上げ平板部の裏面に折返して、各第１立上げ平板部の裏面に当接する。上平板を下平板の表面に折返した状態において、折返平板部を積載平板部の裏面に折返して、積載平板部の裏面に当接する。これにより、各第１乃至第３立ち上げ平板部は、積載平板部の両側において、重ねて配置（重畳）される。また、各第１立上げ平板部は、各第２直線及び各第4直線の間（第４間隔）において、各第２立上げ平板部及び各第３立上げ平板部の間に配置され、各第２立上げ平板部及び各第３立上げ平板部とで挟まれる。押えシートは、折返平板部の折返しと共に、基礎平板体１の下板縁及び梱包窓穴の上窓穴縁に沿って積載平板部の裏面に折返される。これにより、押えシートは、梱包窓穴の下窓穴縁及び上窓穴縁、基礎平板体の下板縁に当接（面接触）しつつ、積載平板部の裏面側に引張られて緊張して、積載平板部上の物品を積載平板部に押付けて定着する。第４に、各第３立上平板部を各第１立上げ平板部の裏面に折返し、及び折返平板部を積載平板部の裏面に折返した状態において、重ね配置（重畳）した各第１乃至各第３立上げ平板部を各第３直線に沿って、積載平板部の表面側に立上げる。
このようにして、請求項１の梱包用緩衝材は、組立てられて物品を梱包する。
本発明に係る請求項１では、物品を梱包する際に、物品を積載平板部の表面に積載して、上平板を下平板の表面に折返し、及び折返平板部を積載平板部の裏面に折返すことで、押えシートで物品を被覆でき、更に、押えシートで物品を積載平板部に定着できる。
これにより、物品を積載平板部上に積載する際に、押えシートを摘まんで、押えシート及び積載平板部の間に物品を挿入する空間を形成するという作業が必要なく、物品の梱包作業が簡単、容易となる。
【００１２】
本発明に係る請求項２によれば、請求項１の効果に加えて、物品を梱包する際に、補強平板を積載平板部の表面に折返して、積載平板部の表面に積載（重畳）できる。物品は、積載平板部の表面に折返した補強平板の裏面に積載する。
これにより、積載平板部を補強平板にて補強できる。
【００１３】
本発明に係る請求項３では、第１に、展開した梱包用緩衝材において、物品を積載平板部の表面に積載する。物品は、梱包窓穴の内側に位置して積載平板部の表面に積載される。第２に、積載平板部上に物品を積載した状態において、上平板を第１直線を境として下平板の表面に折返す。このとき、各第２立上げ平板部は、各第１立上げ平板部の表面に折返され、上脚平板部は、下脚平板部の表面に折返され、及び各脚平板部は、各第１立上げ平板部の前方に突出して配置される。これにより、押えシートは、上平板の下平板への折返しと共に、梱包窓穴の下窓穴縁に沿って積載平板部の表面に折返される。押えシートは、積載平板部の表面に折返した状態において、積載平板部上に物品を覆って配置される。第３に、上平板を下平板の表面に折返した状態において、下脚平板部を第３直線に沿って積載平板部の裏面側に立上げ、及び上脚平板部を梱包窓穴の上窓穴縁に沿って積載平板部の裏面側に立下げる。各側脚平板部は、上脚平板部の立下げと共に、各第５直前及び各第６直線に沿って各第１立上げ平板部の裏面に折返し、及び各第４直線に沿って積載平板部の表面側に立上げ及び積載平板部の裏面側に立下げる。このとき、各側脚平板部は、積載平板部を境として、積載平板部の表面側及び裏面側にわたって起立（立設）される。上脚平板部の立下げにより、係止溝穴は、積載平板部の裏面側に配置され、係止溝穴内に係止平板部を圧入して配置する。これにより、押えシートは、上脚平板部の立下げと共に、積載平板部の裏面側に折曲げられ、係止穴溝内の係止平板部の前板縁に当接する。押えシートは、積載平板部の裏面側へ折返した状態において、梱包窓穴の下窓穴縁、及び係止平板部の前板縁に当接（面接触）しつつ、積載平板部の裏面側に引張れて緊張して、積載平板部上の物品を積載平板部に押付けて定着する。第４に、各第１立上げ平板部、及び各第２立上げ平板部を、各側脚平板部の立上げ及び立下げと共に、各第２直線に沿って積載平板部の表面側に立上げる。
このようにして、本発明に係る請求項３の梱包用緩衝材は、組立てられて物品を梱包する。
本発明に係る請求項３では、物品を梱包する際に、物品を積載平板部の表面に積載して、上平板を下平板の表面に折返し、及び上脚平板部を積載平板部の裏面側に立下げることで、押えシートで物品を被覆でき、更に、押えシートで物品を積載平板部に定着できる。
これにより、物品を積載平板部上に積載する際に、押えシート及び積載平板部の間に物品を挿入する空間を形成するという作業が必要なく、物品の梱包作業が簡単、容易となる。
また、本発明に係る請求項３では、係止平板部を係止穴溝内に圧入することで、上脚平板部の立下げ状態を保持できる。
さらに、本発明に係る請求項３は、下脚平板部及び上脚平板部を積載平板部の裏面側に立さげ、及び各側脚平板部を積載平板部の表面側に立上げ及び積載平板部の裏面側に立下げている。これにより、組立てて物品を梱包した梱包用緩衝材を梱包箱に収納して運送（運送）する際に、積載平板部の裏面側から梱包箱に収納して、立下げた下脚平板部及び上脚平板部を、梱包箱の底平板に当接し、立上げ及び立下げた各側脚平板部を梱包箱の底平板に当接して配置することで、各脚平板部は、運送中の振動を吸収するという緩衝機能を発揮する。また、組立てて物品を梱包した梱包用緩衝材を梱包箱に収納する際に、積載平板部の裏面側から梱包箱に収納して、立下げた下脚平板部及び上脚平板部を梱包箱の底平板に当接し、立上げ及び立下げた各側平板部を梱包箱の底平板部に当接し、及び梱包窓穴の下窓穴縁側の積載平板部の裏面を梱包箱の底平板に当接することで、積載平板部（物品）を梱包箱の底平板に対して傾斜させて配置できる。これにより、梱包箱に収納された物品の視認性を高めることが可能となる。
【００１４】
本発明に係る請求項４によれば、請求項３の効果に加えて、物品を梱包する際に、補強平板を積載平板部の表面に折返して、積載平板部の表面に積載（重畳）できる。品は、積載平板部の表面に折返した補強平板の裏面に積載する。
これにより、積載平板部を補強平板にて補強できる。
【００１５】
本発明に係る請求項５によれば、第１に、展開した梱包用緩衝材において、物品を積載平板部の表面に積載する。物品は、梱包窓穴の内側に位置して積載平板部の表面に積載される。第２に、積載平板部上に物品を積載した状態において、上平板を第１直線を境として下平板の表面に折返す。このとき、各第２立上げ平板部は、各第１立上げ平板部の表面に折返され、上脚平板部は、下脚平板部の表面に折返され、及び各脚平板部は、各第１立上げ平板部の前方に突出して配置される。これにより、押えシートは、上平板の下平板への折返しと共に、梱包窓穴の下窓穴縁に沿って積載平板部の表面に折返される。押えシートは、積載平板部の表面に折返した状態において、積載平板部上に物品を覆って配置される。第３に、上平板を下平板の表面に折返した状態において、下脚平板部を第３直線に沿って積載平板部の裏面側に立上げ、及び上脚平板部を梱包窓穴の上窓穴縁に沿って積載平板部の裏面側に立下げる。各側脚平板部は、上脚平板部の立下げと共に、各第５直前及び各第６直線に沿って各第１立上げ平板部の裏面に折返し、及び各第４直線に沿って積載平板部の表面側に立上げ及び積載平板部の裏面側に立下げる。このとき、各側脚平板部は、積載平板部を境として、積載平板部の表面側及び裏面側にわたって起立（立設）される。上脚平板部の立下げにより、これにより、押えシートは、上脚平板部の立下げと共に、積載平板部の裏面側に折曲げられ、係止穴溝内の係止平板部の前板縁に当接する。押えシートは、積載平板部の裏面側へ折返した状態において、梱包窓穴の下窓穴縁、及び係止平板部の前板縁に当接（面接触）しつつ、積載平板部の裏面側に引張れて緊張して、積載平板部上の物品を積載平板部に押付けて定着する。第４に、各第１立上げ平板部、及び各第２立上げ平板部を、各側脚平板部の立上げ及び立下げと共に、各第２直線に沿って積載平板部の表面側に立上げる。
このようにして、本発明に係る請求項５の梱包用緩衝材は、組立てられて物品を梱包する。
本発明に係る請求項５では、物品を梱包する際に、物品を積載平板部の表面に積載して、上平板を下平板の表面に折返し、及び上脚平板部を積載平板部の裏面側に立下げることで、押えシートで物品を被覆でき、更に、押えシートで物品を積載平板部に定着できる。
これにより、物品を積載平板部上に積載する際に、押えシート及び積載平板部の間に物品を挿入する空間を形成するという作業が必要なく、物品の梱包作業が簡単、容易となる。
また、本発明に係る請求項５は、下脚平板部及び上脚平板部を積載平板部の裏面側に立さげ、及び各側脚平板部を積載平板部の表面側に立上げ及び積載平板部の裏面側に立下げている。これにより、組立てて物品を梱包した梱包用緩衝材を梱包箱に収納して運送（運送）する際に、積載平板部の裏面側から梱包箱に収納して、立下げた下脚平板部及び上脚平板部を、梱包箱の底平板に当接し、立上げ及び立下げた各側脚平板部を梱包箱の底平板に当接して配置することで、各脚平板部は、運送中の振動を吸収するという緩衝機能を発揮する。また、組立てて物品を梱包した梱包用緩衝材を梱包箱に収納する際に、積載平板部の裏面側から梱包箱に収納して、立下げた下脚平板部及び上脚平板部を梱包箱の底平板に当接し、立上げ及び立下げた各側平板部を梱包箱の底平板部に当接し、及び梱包窓穴の下窓穴縁側の積載平板部の裏面を梱包箱の底平板に当接することで、積載平板部（物品）を梱包箱の底平板に対して傾斜させて配置できる。これにより、梱包箱に収納された物品の視認性を高めることが可能となる。
【図面の簡単な説明】
【００１６】
【図１】第１実施形態の梱包用緩衝材を示す表平面図（展開表平面図）である。
【図２】第１実施形態の梱包用緩衝材を示す裏平面図（展開裏平面図）である。
【図３】第１実施形態の梱包用緩衝材を示す裏平面斜視図（展開裏斜視図）である。
【図４】第１実施形態の梱包用緩衝材を示す側面図（展開側面図）である。
【図５】図２のＡ−Ａ断面図である。
【図６】図１の要部拡大図であって、（ａ）は、第２及び第４直線（第２及び第４折曲直線）の関係を示す表平面図、（ｂ）は、梱包窓穴の上窓穴縁及び第４直線（第４折曲直線）の関係を示す表平面図、（ｃ）は、第１直線（第１折曲直線）及び梱包窓穴の下窓穴縁の関係を示す表平面図である。
【図７】第１実施形態の梱包用緩衝材における組立て梱包方法を説明する図であって、展開状態の梱包用緩衝材（積載平板部）に物品（商品）を積載した表平面斜視図である。
【図８】第１実施形態の梱包用緩衝材における組立て梱包方法を説明する図であって、上平板を第１直線（第１折曲直線）に沿って、下平板の表面に折返した表平面斜視図である。
【図９】第１実施形態の梱包用緩衝材における組立て梱包方法を説明する図であって、各第３立上げ平板部及び折返平板を第２及び第４直線（第２及び第４折曲直線）に沿って、各第１立上げ平板部の裏面に折返し、及び積載平板部の裏面に折返した表平面斜視図である。
【図１０】第１実施形態の梱包用緩衝材における組立て梱包方法を説明する図であって、第第３立上げ平板部及び折返平板部を第２及び第４直線（第２及び第４折曲直線）に沿って、各第１立上平板部の裏面に折返し、及び積載平板部の裏面に折返した表平面図である。
【図１１】（ａ）は、図１０のＢ−Ｂ断面図、（ｂ）は、図１１（ａ）の要部拡大断面図である。
【図１２】図１０のＣ−Ｃ断面図である。
【図１３】第１実施形態の梱包用緩衝材における組立て梱包方法を説明する図であって、各第３立上げ平板部及び折返平板部を第２及び第４直線（第２及び第４折曲直線）に沿って、各第１立上げ平板部の裏面、及び積載平板部の裏面に折返した裏平面図である。
【図１４】第１実施形態の梱包用緩衝材における組立て梱包方法を説明する図であって、各第１立上げ平板部、各第２立上げ平板部及び各第３立上げ平板部を積載平板部の表面側に立上げた（起立した）表平面斜視図である。
【図１５】第１実施形態の梱包用緩衝材における組立て梱包方法を説明する図であって、各第１立上げ平板部、各第２立上げ平板部及び各第３立上げ平板部を積載平板部の表面側に立上げた（起立した）上面図である。
【図１６】図１５のＤーＤ断面図である。
【図１７】第１実施形態の梱包用緩衝材において、組立て梱包した梱包用緩衝材、及び梱包箱を示す表平面斜視図である。
【図１８】第１実施形態の梱包用緩衝材において、組立て梱包した梱包用緩衝材を梱包箱の内部に収納した上面図である。
【図１９】図１８のＥーＥ断面図である。
【図２０】第１実施形態の梱包用緩衝材において、梱包窓穴の下窓穴縁の変形例を示した要部拡大表平面図（展開表平面図）である。
【図２１】第２実施形態の梱包用緩衝材を示す表平面図（展開表平面図）である。
【図２２】第２実施形態の梱包用緩衝材を示す裏平面図（展開裏平面図）である。
【図２３】図２２のＦーＦ断面拡大図である。
【図２４】第２実施形態の梱包用緩衝材であって、補強平板及び積載平板部との関係を示す表平面図（展開表表面図）である。
【図２５】第２実施形態の梱包用緩衝材における組立て梱包方法を説明する図であって、補強平板を第５直線に沿って積載平板部の表面に折返した表平面斜視図である。
【図２６】第２実施形態の梱包用緩衝材における組立て梱包方法を説明する図であって、補強平板に物品（商品）を積載した表平面斜視図である。
【図２７】第２実施形態の梱包用緩衝材における組立て梱包方法を説明する図であって、上平板を第１直線（第１折曲直線）に沿って、下平板の表面に折返した表平面斜視図である。
【図２８】第２実施形態の梱包用緩衝材における組立て梱包方法を説明する図であって、各第３立上げ平板部及び折返平板を第２及び第４直線（第２及び第４折曲直線）に沿って、各第１立上げ平板部の裏面に折返し、及び積載平板部の裏面に折返した表平面斜視図である。
【図２９】第２実施形態の梱包用緩衝材における組立て梱包方法を説明する図であって、各第３立上げ平板部及び折返平板部を第２及び第４直線（第２及び第４折曲直線）に沿って、各第１立上平板部の裏面に折返し、及び積載平板部の裏面に折返した表平面図である。
【図３０】（ａ）は、図２９のＧ−Ｇ断面図、（ｂ）は、図３０（ａ）の要部拡大断面図である。
【図３１】図２９のＨーＨ断面図である。
【図３２】第２実施形態の梱包用緩衝材における組立て梱包方法を説明する図であって、各第３立上げ平板部及び折返平板部を第２及び第４直線（第２及び第４折曲直線）に沿って、各第１立上げ平板部の裏面、及び積載平板部の裏面に折返した裏平面図である。
【図３３】第２実施形態の梱包用緩衝材における組立て梱包方法を説明する図であって、各第１立上げ平板部、各第２立上げ平板部及び各第３立上げ平板部を積載平板部の表面側に立上げた（起立した）表平面斜視図である。
【図３４】第２実施形態の梱包用緩衝材における組立て梱包方法を説明する図であって、各第１立上げ平板部、各第２立上げ平板部及び各第３立上げ平板部を積載平板部の表面側に立上げた（起立した）上面図である。
【図３５】図３４のＩーＩ断面図である。
【図３６】第２実施形態の梱包用緩衝材において、組立て梱包した梱包用緩衝材、及び梱包箱を示す表平面斜視図である。
【図３７】第２実施形態の梱包用緩衝材において、組立て梱包した梱包用緩衝材を梱包箱の内部に収納した上面図である。
【図３８】図３７のＪーＪ断面図である。
【図３９】第３実施形態の梱包用緩衝材を示す表平面図（展開表平面図）である。
【図４０】第３実施形態の梱包用緩衝材を示す裏平面図（展開裏平面図）である。
【図４１】第３実施形態の梱包用緩衝材を示す裏平面斜視図（展開裏斜視図）である。
【図４２】第３実施形態の梱包用緩衝材を示す上平面図（展開上平面図）である。
【図４３】第３実施形態の梱包用緩衝材を示す底平面図（展開底平面図）である。
【図４４】第３実施形態の梱包用緩衝材を示す側平面図（展開側平面図）である。
【図４５】図３９のＫーＫ断面図である。
【図４６】図３９のＬ−Ｌ断面図である。
【図４７】図４６のＰ−Ｐ拡大図である。
【図４８】図３９のＭ―Ｍ断面図である。
【図４９】図４５のＯーＯ拡大図である。
【図５０】図３９のＮ―Ｎ断面図である。
【図５１】図３９の要部拡大図であって、下平板を示す表平面図である。
【図５２】図３９の要部拡大図であって、上平板を示す表平面図である。
【図５３】図３９の要部拡大図であって、第１折曲切込直線、第１切込直線、第７乃至第１０直線を示す表平面図である。
【図５４】第３実施形態の梱包用緩衝材における組立て梱包方法を説明する図であって、展開状態の梱包用緩衝材（積載平板部）に物品（商品）を積載した表平面斜視図である。
【図５５】第３実施形態の梱包用緩衝材における組立て梱包方法を説明する図であって、第１直線（第１折曲直線）を境にして、上平板を下平板の表面に折返した表平面斜視図である。
【図５６】第３実施形態の梱包用緩衝材における組立て梱包方法を説明する図であって、上脚平板部及び下脚平板部を積載平板部の裏面側に立下げ、各第１及び各第２立上げ平板部を積載平板部の表面側等に立上げ、各側脚平板部を積載平板部の表面側に立上げ及び積載平板部の裏面側に立上げた表平面斜視図である。
【図５７】第３実施形態の梱包用緩衝材における組立て梱包方法を説明する図であって、上脚平板部及び下脚平板部を積載平板部の裏面側に立下げ、各第１及び各第２立上げ平板部を積載平板部の表面側等に立上げ、各側脚平板部を積載平板部の表面側に立上げ及び積載平板部の裏面側に立下げた上面図である。
【図５８】（ａ）は、図５７のＱーＱ断面図、（ｂ）は、図５８（ａ）の要部拡大断面図である。
【図５９】図５７のＲ−Ｒ断面図である。
【図６０】第３実施形態の梱包用緩衝材における組立て梱包方法を説明する図であって、上脚平板部及び下脚平板部を積載平板部の裏面側に立下げ、各第１及び各第２立上げ平板部を積載平板部の表面側に立上げ、各側脚平板部を積載平板部の表面側に立上げ及び積載平板部の裏面側に立下げた底面図である。
【図６１】第３実施形態の梱包用緩衝材において、組立て梱包した梱包用緩衝材、及び梱包箱を示す表平面斜視図である。
【図６２】第３実施形態の梱包用緩衝材において、組立て梱包した梱包用緩衝材を梱包箱の内部に収納した上面図である。
【図６３】図６２のＳ−Ｓ断面図である。
【図６４】図６２のＳ−Ｓ断面拡大図であって、第１及び第２鋭角度の関係を示す図である。
【図６５】第４実施形態の梱包用緩衝材を示す表平面図（展開表平面図）である。
【図６６】第４実施形態の梱包用緩衝材を示す裏平面図（展開裏平面図）である。
【図６７】図６６のＴ−Ｔ断面図である。
【図６８】第４実施形態の梱包用緩衝材であって、補強平板及び積載平板部との関係を示す表平面図（展開表表面図）である。
【図６９】第４実施形態の梱包用緩衝材であって、補強平板及び積載平板部との関係を示す要部拡大表平面図である。
【図７０】第４実施形態の梱包用緩衝材であって、補強平板及び係止平板部を示す要部拡大表平面図である。
【図７１】第４実施形態の梱包用緩衝材における組立て梱包方法を説明する図であって、補強平板を第５直線に沿って積載平板部の表面に折返した表平面斜視図である。
【図７２】第４実施形態の梱包用緩衝材における組立て梱包方法を説明する図であって、補強平板に物品（商品）を積載した表平面斜視図である。
【図７３】第４実施形態の梱包用緩衝材における組立て梱包方法を説明する図であって、第１直線（第１折曲直線）を境にして、上平板を下平板の表面に折返した表平面斜視図である。
【図７４】第４実施形態の梱包用緩衝材における組立て梱包方法を説明する図であって、上脚平板部及び下脚平板部を積載平板部の裏面側に立下げ、各第１及び各第２立上げ平板部を積載平板部の表面側に立上げ、各側脚平板部を積載平板部の表面側に立上げ及び積載平板部の裏面側に立下げた表平面斜視図である。
【図７５】第４実施形態の梱包用緩衝材における組立て梱包方法を説明する図であって、上脚平板部及び下脚平板部を積載平板部の裏面側に立下げ、各第１及び各第２立上げ平板部を積載平板部の表面に立上げ、各側脚平板部を積載平板部の裏面に立下げた上面図である。
【図７６】（ａ）は、図７５のＵーＵ断面図、（ｂ）は、図７６（ａ）の要部拡大断面図である。
【図７７】図７５のＶーＶ断面図である。
【図７８】第４実施形態の梱包用緩衝材における組立て梱包方法を説明する図であって、上脚平板部及び下脚平板部を積載平板部の裏面側に立下げ、各第１及び各第２立上げ平板部を積載平板部の表面側に立上げ、各側脚平板部を、積載平板部の表面側に立上げ及び積載平板部の裏面側に立上げた底面図である。
【図７９】第４実施形態の梱包用緩衝材において、組立て梱包した梱包用緩衝材、及び梱包箱を示す表平面斜視図である。
【図８０】第４実施形態の梱包用緩衝材において、組立て梱包した梱包用緩衝材を梱包箱の内部に収納した上面図である。
【図８１】図８０のＷ−Ｗ断面図である。
【発明を実施するための形態】
【００１７】
本発明に係る第１乃至第４実施形態の梱包用緩衝材について、図１乃至図８１を参照して説明する。
【００１８】
＜第１実施形態＞
第１実施形態の梱包用緩衝材Ｘ１について、図１乃至図２０を参照して説明する。
なお、説明の便宜上、先ず、組立前の展開した第１実施形態の梱包用緩衝材Ｘ１について説明し、次に、第１実施形態の梱包用緩衝材Ｘ１を組立てて物品（商品）を梱包する要領（組立て梱包方法）について説明する。
【００１９】
図１乃至図６において、第１実施形態の梱包用緩衝材Ｘ１（以下、「梱包用緩衝材Ｘ１」という）は、基礎平板体１、及び押えシート２（押えフィルム）を備える。
【００２０】
＜基礎平板体１＞
基礎平板体１は、折曲自在な紙、合成樹脂等のシート素材（シート材）、例えば、段ボール（紙製段ボールシート）、プラスチック段ボールシート等から形成される。基礎平板体１は、所定の板厚Ｔを有する。
基礎平板体１は、図１乃至図６に示すように、上板縁１Ａ、下板縁１Ｂ、及び左右一対の側板縁１Ｃ，１Ｄ（右側板縁１Ｃ、左側板縁１Ｄ）を有する。基礎平板体１は、図１乃至図３に示すように、例えば、六角形の平板に形成される。
【００２１】
基礎平板体１において、右側板縁１Ｃ（右側板縁面）及び左側板縁１Ｄ（左側板縁面）は、図１に示すように、左右方向Ｗに間隔ＰＸ（距離）を隔てて平行に配置される。各側板縁１Ｃ，１Ｄは、上下方向Ｖにおいて、上板縁１Ａ（上板縁面）及び下板縁１Ｂ（下板縁面）の間に延在される。各側板縁１Ｃ，１Ｂは、上板縁１Ａに交差し、及び下板縁１Ｂに直交する。なお、上下方向Ｖは、左右方向Ｗに直交する方向である。
【００２２】
基礎平板体１において、上板縁１Ａは、図１乃至図３に示すように、第１上板縁部１ａ１、及び一対の第２上板縁部１ａ２，１ａ３を有する。
上板縁１Ａの第１上板縁部１ａ１、及び下板縁１Ｂは、図１に示すように、上下方向Ｖに間隔ＰＹ（距離）を隔てて平行に配置される。第１上板縁部１ａ１は、左右方向Ｗにおいて、各側板縁１Ｃ，１Ｄに第２間隔Ｐ２（第２距離）を隔てて配置され、各側板縁１Ｃ，１Ｄの間に延在される。各第２上板縁部１ａ２，１ａ３は、第１上板縁部１ａ１に連続して形成される。各第２上板縁部１ａ２，１ａ３は、第１板縁部１ａ１の各縁端から各側板縁１Ｃ，１Ｄ及び下板縁１Ｂに向けて傾斜され、各側板縁１Ｃ，１Ｂに交差する。
【００２３】
下板縁１Ｂは、図１乃至図３に示すように、左右方向Ｗにおいて、各側板縁１Ｃ，１Ｄの間に延在され、各側板縁１Ｃ，１Ｄに直交する。
これにより、上板縁１Ａ、下板縁１Ｂ及び左右一対の側板縁１Ｃ，１Ｄは、基礎平板体１の板縁（板縁面）を構成する。
【００２４】
基礎平板体１は、図１乃至図３に示すように、第１直線Ｌ１（第１折曲直線）、第２直線Ｌ２（第２折曲直線）、一対の第３直線Ｌ３，Ｌ３（第３折曲直線）、及び第４直線Ｌ４（第４折曲直線）を有する。
【００２５】
第１直線Ｌ１は、図１乃至図３に示すように、上下方向Ｖにおいて、上板縁１Ａ及び下板縁１Ｂの間に位置して配置される。第１直線Ｌ１は、上下方向Ｖにおいて、下板縁１Ｂに第１間隔Ｐ１（第１距離）を隔てて平行配置される。第１直線Ｌ１は、左右方向Ｗにおいて、各側板縁１Ｃ，１Ｄの間に延在される。第１直線Ｌ１は、各側板縁１Ｃ，１Ｄに直交（交差）する。
【００２６】
第２直線Ｌ２は、図１乃至図３に示すように、上下方向Ｖにおいて、第１直線Ｌ１及び上板縁１Ａの間に位置して配置される。第２直線Ｌ２は、上下方向Ｖにおいて、第１直線Ｌ１に第１間隔Ｐ１（第１距離）を隔てて平行配置される。第２直線Ｌ２は、左右方向Ｗにおいて、各側板縁１Ｃ，１Ｄの間に延在される。第２直線Ｌ２は、各側板縁１Ｃ，１Ｄに直交（交差）する。
【００２７】
各第３直線Ｌ３，Ｌ３は、図１乃至図３に示すように、左右方向Ｗにおいて、各側板縁１Ｃ，１Ｄに第２間隔Ｐ２（第２距離）を隔てて配置される。各第３直線Ｌ３，Ｌ３は、左右方向Ｗにおいて、相互に第３間隔Ｐ３（第３距離）を隔てて平行配置される。各第３直線Ｌ３，Ｌ３は、図１乃至図３に示すように、上下方向Ｖにおいて、上板縁１Ａ及び下板縁１Ｂの間に延在される。各第３直線Ｌ３，Ｌ３は、図１乃至図３に示すように、第１直線Ｌ１及び第２直線Ｌ２に直交して配置される。
各第３直線Ｌ３，Ｌ３は、第１上板縁１ａ１及び各第２上板縁１ａ２，１ａ３の各交点において、上板縁１Ａに交差（第１板縁部１ａ１に直交）し、及び下板縁１Ｂに直交（交差）する。
【００２８】
第４直線Ｌ４は、図１乃至図３、及び図６（ａ）に示すように、上下方向Ｖにおいて、上板縁１Ａ及び第２直線Ｌ２の間に位置して配置される。第４直線Ｌ４は、上下方向Ｖにおいて、第２直線Ｌ２に第４間隔Ｐ４（第４距離）を隔てて平行配置される。第４間隔Ｐ４（第４距離）は、基礎平板体１の板厚Ｔ以上、例えば、１枚の板厚Ｔの間隔である。また、第４間隔Ｐ４は、基礎平板体１の板厚Ｔ（１枚の板厚）以上、２倍の板厚Ｔ（２×Ｔ）以下（Ｔ≦Ｐ４≦２×Ｔ）、更に、基礎平板体１の１．５倍の板厚Ｔを超えて３倍の板厚Ｔ未満（１．５×Ｔ＜Ｐ４＜３×Ｔ）とすることもできる。
第４直線Ｌ４は、左右方向Ｗにおいて、各側板縁１Ｃ，１Ｄの間に延在される。第４直線Ｌ４は、各第３直線Ｌ３，Ｌ３に直交して配置される。第４直線Ｌ４は、各側板縁１Ｃ，１Ｄに直交（交差）する。
第４直線Ｌ４は、第１直線Ｌ１、下板縁１Ｂ、及び上板縁１Ａの第１上板縁部１ａ１に平行配置される。
【００２９】
基礎平板体１は、図１乃至図６に示すように、梱包窓穴３、下平板４及び上平板５とで構成される。
【００３０】
＜梱包窓穴３＞
梱包窓穴３は、図１乃至図３、図５及び図６に示すように、基礎平板体１に形成される。梱包窓穴３は、基礎平板体１の板厚方向Ｕにおいて、基礎平板体１を貫通する。梱包窓穴３は、例えば、長方形の窓穴（矩形又は正方形の窓穴）に形成され、基礎平板体１の表面１Ｘ及び裏面１Ｙに開口される。
梱包窓穴３は、上窓穴縁３Ａ、左右一対の側窓穴縁３Ｂ，３Ｃ、及び下窓穴縁３Ｄを有する。各窓穴縁３Ａ〜３Ｄ（窓穴縁端）は、梱包窓穴３の窓穴縁（長方形の窓穴縁面）を構成する。
【００３１】
梱包窓穴３の上窓穴縁３Ａ（上窓穴縁面）は、図１乃至図３、図５に示すように、上下方向Ｖにおいて、第４直線Ｌ４より上板縁１Ａ側（第１上板縁部１ａ１側）に位置して、第４直線Ｌ４に平行配置される。上窓穴縁３Ａは、図１及び図６（ａ）に示すように、上下方向Ｖにおいて、第４直線Ｌ４に第５間隔Ｐ５（第５距離）を隔てて配置される。第５間隔Ｐ５（第５距離）は、基礎平板体１の板厚Ｔ以上、例えば、基礎平板体１の板厚Ｔ（１枚の板厚）の間隔である。第５間隔Ｐ５は、基礎平板体１の板厚Ｔ（１枚の板厚）以上、２倍の板厚Ｔ（２×Ｔ）以下（Ｔ≦Ｐ５≦２×Ｔ）以下、更に、０（「零」）を超えて基礎平板体１の板厚Ｔ未満（０＜Ｐ５＜Ｔ）とすることもできる。
上窓穴縁３Ａは、左右方向Ｗにおいて、各側窓縁３Ｂ，３Ｃの間に延在され、各側窓穴縁３Ｂ，３Ｃに直交（交差）する。
【００３２】
梱包窓穴３の各側窓穴縁３Ｂ，３Ｃ（各側窓穴縁面）は、図１乃至図３に示すように、左右方向Ｗにおいて、各第３直線Ｌ３，Ｌ３より各側板縁１Ｃ，１Ｄ側に位置して、各第３直線Ｌ３，Ｌ３に平行配置される。
右側窓穴縁３Ｂは、左右方向Ｗにおいて、右側板縁１Ｃに隣設（右側窓穴縁３Ｃに隣設）する第３直線Ｌ３及び右側板縁１Ｃの間に位置して、各第３直線Ｌ３，Ｌ３に平行配置される。左側窓穴縁３Ｃは、左右方向Ｗにおいて、左板縁１Ｄに隣設（左側窓穴縁３Ｃに隣設）する第３直線Ｌ３及び左側板縁１Ｄの間に位置して、各第３直線Ｌ３，Ｌ３に平行配置される。
各側窓穴縁３Ｂ，３Ｃは、図１及び図６に示すように、隣設する各第３直線Ｌ３，Ｌ３に第６間隔Ｐ６（第６距離）を隔てて平行配置される。第６間隔Ｐ６（第６距離）は、基礎平板体１の板厚Ｔ以上、例えば、基礎平板体１の板厚Ｔ（１枚の板厚）の間隔である。第６間隔Ｐ６は、基礎平板体１の板厚Ｔ（１枚の板厚）以上、２倍の板厚（２×Ｔ）以下（Ｔ≦Ｐ６≦２×Ｔ）、更に、０（「零」）を超えて板厚（２×Ｔ）未満（０＜Ｐ６＜Ｔ）にすることもできる。
各側窓穴縁３Ｂ，３Ｃは、上下方向ＵＤにおいて、上窓穴縁３Ａ及び下窓穴縁３Ｄの間に延在され、上窓穴縁３Ａ及び下窓穴縁３Ｄに直交（交差）する。
【００３３】
下窓穴縁３Ｄ（下窓穴縁面）は、図１乃至図３に示すように、上下方向Ｖにおいて、第１直線Ｌ１より下板縁１Ｂ側に位置して、下板縁１Ｂに平行配置される。下窓穴縁３Ｄは、上下方向Ｖにおいて、第１直線Ｌ１に第７間隔Ｐ７（第７距離）を隔てて平行配置される。第７間隔Ｐ７（第７距離）は、基礎平板体１の板厚Ｔ以上、例えば、基礎平板体１の板厚Ｔ（１枚の板厚）の間隔である。第７間隔Ｐ７（第７距離）は、基礎平板体１の板厚Ｔ（１枚の板厚）以上、２倍の板厚（２×Ｔ）以下（Ｔ≦Ｐ７≦２×Ｔ）以上、更に、０（「零」）を超えて板厚（２×Ｔ）未満（０＜Ｐ７＜Ｔ）とすることもできる。
下窓穴縁３Ｄは、左右方向Ｗにおいて、各側窓穴縁３Ｂ，３Ｃの間に延在され、各側窓穴縁３Ｂ，３Ｃに直交（交差）する。
これにより、各窓穴縁３Ａ〜３Ｄは、梱包窓穴５の窓穴縁（窓穴縁面）を構成し、基礎平板体１に長方形の窓穴を区画する。
【００３４】
＜下平板４＞
下平板４は、図１乃至図３に示すように、第１直線Ｌ１、基礎平板体１の下板縁１Ｂ、及び各側板縁１Ｃ，１Ｄ（右側板縁及び左側板縁）とで区画される。
下平板４は、図１乃至図３に示すように、積載平板部６、一対の第１立上げ平板部７，８を有する。
【００３５】
下平板４において、積載平板部６は、図１乃至図３に示すように、各第３直線Ｌ３，Ｌ３、基礎平板体１の下板縁１Ｂ、及び梱包窓穴３の下窓穴縁３Ｄとで四角形に区画される。積載平板部６は、例えば、長方形の平板に形成される。
【００３６】
下平板４において、各第１立上げ平板部７，８は、図１乃至図３に示すように、左右方向Ｗにおいて、積載平板部６の両側に配置される。各第１立上げ平板部７，８は、第１直線Ｌ１、各第３直線Ｌ３，Ｌ３、基礎平板体１の下板縁１Ｂ及び各側板縁１Ｃ，１Ｄとで四角形に区画される。第１立上げ平板部７（右側・第１立上げ平板部）は、第１直線Ｌ１、右側板縁１Ｃに隣設する第３直線Ｌ３、基礎平板体１の下板縁１Ｂ及び右側板縁１Ｃとで四角形に区画される。第１立上げ平板部８（左側・第１立上げ平板部）は、第１直線Ｌ１、左側板縁１Ｄに隣設する第３直線Ｌ３、基礎平板体１の下板縁１Ｂ及び左側板縁１Ｄとで四角形に区画される。
各第１立上げ平板部７，８は、例えば、長方形の平板に形成される。
第１立上げ平板部７は、第１直線Ｌ１、及び右側板縁１Ｃに隣設する第３直線Ｌ３に連設される。これにより、第１立上げ平板部７は、左右方向Ｗにおいて、右側板縁１Ｃに隣設する第３直線Ｌ３に沿って積載平板部６に連設される。
第１立上げ平板部８は、第１直線Ｌ１、及び左側板縁１Ｄに隣設する第３直線Ｌ３に連設される。これにより、第１立上げ平板部８は、左右方向Ｗにおいて、左側板縁１Ｄに隣設する第３直線Ｌ３に沿って積載平板部６に連設される。
【００３７】
下平板４において、各第３直線Ｌ３，Ｌ３は、図１乃至図３に示すように、積載平板部６及び各第１立上げ平板部７，８の境界線（境界）となる。
【００３８】
＜上平板５＞
上平板５は、図１乃至図３に示すように、第１直線Ｌ１、基礎平板体１の上板縁１Ａ及び各側板縁１Ｃ，１Ｄとで区画される。上平板５は、上下方向Ｖにおいて、第１直線Ｌ１に沿って下平板４に連設される。
上平板５は、図１乃至図３に示すように、一対の第２立上げ平板部１５，１６、一対の第３立上げ平板部１７，１８、及び折返平板部１８を有する。
【００３９】
上平板５において、各第２立上げ平板部１５，１６は、図１乃至図３に示すように、左右方向Ｗにおいて、梱包窓穴３（各側窓穴縁３Ｂ，３Ｃ）の両側に連設される。各第２立上げ平板部５，１６は、第１直線Ｌ１、第２直線Ｌ２、梱包窓穴３の各側窓穴縁３Ｂ，３Ｃ、及び基礎平板体１の各側板縁１Ｃ，１Ｄとで区画される。第２立上げ平板部１５（右側・第２立上げ平板部）は、第１直線Ｌ１、第２直線Ｌ２、右側板縁１Ｃに隣設する梱包窓穴３の側窓穴縁３Ｂ（右側窓穴縁）、及び右側板縁１Ｃとで四角形に区画される。第２立上げ平板部１６は、第１直線Ｌ１、左側板縁１Ｄに隣設する梱包窓穴５の側窓穴縁３Ｃ（左側窓穴縁）、及び基礎平板体１の左側板縁１Ｄとで四角形に区画される。
各第２立上げ平板部７，８は、例えば、長方形の平板に形成される。
第２立上げ平板部７は、第１直線Ｌ１、第２直線Ｌ２及び梱包窓穴３の左側窓穴縁３Ｂに連設される。これにより、第２立上げ平板部１５は、上下方向Ｖにおいて、第１直線Ｌ１に沿って第１立上げ平板部７（右側・第１立上げ平板部）に連設される。
第２立上げ平板部１６（左側・第２立上げ平板部）は、第１直線Ｌ１、第２直線Ｌ２、左側板縁１Ｄに隣設する梱包窓穴３の側窓穴縁３Ｃ（左側窓穴縁）に連設される。これにより、第２立上げ平板部１６は、上下方向Ｖにおいて、第１直線Ｌ１に沿って第１立上げ平板部８（左側・第１立上げ平板部）に連設される。
【００４０】
上平板５において、各第３立上げ平板部１７，１８は、図１乃至図３に示すように、第４直線Ｌ４、各第３直線Ｌ３，Ｌ３、基礎平板体１の上板縁１Ａ及び各側板縁１Ｃ，１Ｄとで区画される。第３立上げ平板部１７（右側・第３立上げ平板部）は、第４直線Ｌ４、右側板縁１Ｃに隣設する第３直線Ｌ３、上板縁１Ａ（第２上板縁部１ａ２）及び右側板縁１Ｃとで区画される。第３立上げ平板部１８（左側・第３立上げ平板部）は、第４直線Ｌ４、左側板縁１Ｄに隣設する第３直線Ｌ３、基礎平板体１の上板縁１Ａ（第２上板縁部１ａ３）及び左側板縁１Ｄとで区画される。
第３立上げ平板部１７は、第４直線Ｌ４、及び右側板縁１Ｃに隣設する第３直線Ｌ３に連設される。これにより、第３立上げ平板部１７は、上下方向Ｖにおいて、第２及び第４直線Ｌ２，Ｌ４の間の第４間隔Ｐ４（折曲平板部２０）を介在して、第２立上平板部１５（右側・第２立上げ平板部）に連設される。
第３立上げ平板部１８は、第４直線Ｌ４、及び左側板縁１Ｄに隣設する第３直線Ｌ３に連設される。これにより、第３立上げ平板部１８は、上下方向Ｖにおいて、第２及び第４直線Ｌ２，Ｌ４の第４間隔Ｐ４（折曲平板部２１）を介在して、第２立上げ平板部１６（左側・第２立上げ平板部）に連設される。
【００４１】
上平板５において、折返平板部１９は、図１乃至図３に示すように、左右方向Ｗにおいて、各第３立上げ平板部１７，１８の間に配置される。折返平板部１９は、各第３直線Ｌ３，Ｌ３、梱包窓穴３の上窓穴縁３Ａ、及び基礎平板体１の上板縁１Ａ（第１上板縁部１ａ１）とで四角形に区画される。折返平板部１９は、各第３直線Ｌ３，Ｌ３、及び梱包窓穴３の上窓穴縁３Ａに連設される。これにより、折返平板部１９は、左右方向Ｗにおいて、各第３直線Ｌ３，Ｌ３に沿って各第３立上げ平板部１７，１８に連設される。
【００４２】
上平板５において、第２及び第４直線Ｌ２，Ｌ４の間の第４間隔Ｐ４（第４距離）は、各第２立上げ平板部１５，１６及び各第３立上げ平板部１７，１８の境界領域（折曲平板部２０，２１）となる。
上平板５において、各第３直線Ｌ３，Ｌ３は、各第３立上げ平板部１７，１８及び折返平板部１９の境界線（境界）となる。
【００４３】
下平板４及び上平板５において、第１直線Ｌ１は、各第１立上げ平板部７，８及び各第２立上げ平板部１５，１６の境界線（境界）となる。
【００４４】
＜押えシート２＞
押えシート２（押えフィルム）は、図１乃至図６に示すように、基礎平板体１の裏面１Ｙに積層される。押えシート２は、例えば、長方形に形成され、各第３直線Ｌ３，Ｌ３の間の第３間隔Ｐ３（第３距離）と同一、又は第３間隔Ｐ３未満のフィルム幅（フィルム幅≦Ｐ３）を有する。
【００４５】
押えシート２は、図１乃至図５に示すように、基礎平板体１の裏面１Ｙにおいて、各第３直線Ｌ３，Ｌ３の間に位置して、上下方向Ｖに延在して配置される。
押えシート２は、左右方向Ｗにおいて、梱包窓穴３の各側窓穴縁３Ｂ，３Ｃに間隔を隔てて配置され、梱包窓穴３を覆う。
押えシート２は、積載平板部６の裏面６Ｙ、梱包窓穴３及び折返平板部１９の裏面１９Ｙを覆って配置され、積層平板部６の裏面６Ｙ及び折返平板部１９の裏面１９Ｙに積層される。
これにより、押えシート２は、上下方向Ｖにおいて、梱包窓穴３の上窓穴縁３Ａ及び下窓穴縁３Ｄの間に架渡されて、梱包窓穴３を覆う。押えシート２は、左右方向Ｗにおいて、各第３間隔Ｐ３，Ｐ３の間にて梱包窓穴３を覆う。
【００４６】
押えシート２は、図２乃至図５に示すように、上下方向Ｖにおいて、上側シート端側２Ａを折返平板部１９の裏面１９Ｙに固定して配置される。押えシート２は、上下方向Ｖにおいて、下側シート端側２Ｂを積載平板部６の裏面６Ｙに固定して配置される。
押えシート２において、上側及び下側シート端側２Ａ，２Ｂは、左右方向Ｗにわたって、折返平板部１９の裏面１９Ｙ、及び積載平板部６の裏面６Ｙに固定される。
【００４７】
押えシート２は、伸縮性（可撓性）を有するシート材（フィルム材）で形成される。押えシート２は、例えば、ポリウレタン系熱可塑性樹脂を原料とする透明フィルムを使用する（フィルム厚さは、１０〜３００μｍ）。
押えシート２において、例えば、ポリウレタン系熱可塑性樹脂を原料とする透明フィルムを使用すると、ヒートシール（熱圧着）により、上側及び下側シート端側２Ａ，２Ｂを積載平板部６の裏面６Ｙ及び折返平板部１９の裏面１９Ａに固着（固定）できる。
【００４８】
このように、第１実施形態の梱包用緩衝材Ｘ１は、図１に示すように、左右方向Ｗの中心線ａを有し、中心線ａに対して左右対称に形成される。
【００４９】
＜物品の梱包＞
次に、梱包用緩衝材Ｘ１を組立てて、物品Ｚ（商品）を梱包する要領（組立て梱包方法）について、図７乃至図１６を参照して説明する。
【００５０】
先ず、展開した梱包用緩衝材Ｘ１において、物品Ｚ（商品）を積載平板部６の表面６Ｘ上に積載（載置）する（図７参照）。物品Ｚは、図７に示すように、積載平板部６の表面６Ｘに積載（載置）される。
【００５１】
続いて、図７及び図８において、上平板５を第１直線Ｌ１（第１折曲直線）に沿って下平板４の表面４Ｘに折返す。
このとき、各第２立上げ平板部１５，１６は、図７及び図８に示すように、第１直線Ｌ１（第１折曲直線）に沿って各第１立上げ平板部７，８の表面７Ｘ，８Ｘに折返される。
これにより、上平板５は、第１直線Ｌ１を境（境界線）として下平板４の表面４Ｘに重ねて配置される。また、各第２立上げ平板部１５，１６は、図７、図８及び図１２に示すように、第１直線Ｌ１を境（境界線）として各第１立上げ平板部７，８の表面７Ｘ，８Ｘに重ねて配置される。
【００５２】
押えシート２は、図７、図８及び図１１（ａ）に示すように、上平板５の下平板４の表面４Ｘへの折返しにより、梱包窓穴３の下窓穴縁３Ｄに沿って積載平板部６の表面６Ｘに折返される。
これにより、押えシート２は、積載平板部２上の物品Ｚ（商品）を被覆して、梱包窓穴３の下窓穴縁３Ｄに当接される。押えシート２は、左右方向Ｗにわたって梱包窓穴３の下窓穴縁３Ｄ（下窓穴縁面）に当接（面接触）される。押えシート２は、梱包窓穴３の下窓穴縁３Ｄ（下窓穴縁面）を境（境界線／境界面）として積載平板部６の表面６Ｘに重ねて配置される。
積載平板部６上の物品Ｚは、上平板５を下平板４の表面４Ｘに折返した状態において、押えシート２で被覆されて、梱包窓穴３の内側に配置（位置）される。
【００５３】
各第３立上げ平板部１７，１８は、図７及び図８に示すように、上平板５を下平板４に折返した状態において、基礎平板体１の下板縁１Ｂ（各第１立上げ平板部７，８）の前方に突出して配置される。
折返平板部１９は、図７及び図８に示すように、上平板５を下平板４の表面４Ｘに折返した状態において、基礎平板体１（積載平板部６）の下板縁１Ｂの前方に突出して配置される。
【００５４】
上平板５を下平板４の表面４Ｘに折返した状態において、各第３立上げ平板部１７，１８及び折返平板部１９（上平板５）は、図８に示すように、下平板４に向けて押付けられ、梱包窓穴３の上窓穴縁３Ａを基礎平板体１の下板縁１Ｂ上に配置する。
これにより、梱包窓穴３の上窓穴縁３Ａ、及び基礎平板体１の下板縁１Ｂは、上下に重なって位置して、面一に配置される。
【００５５】
続いて、図９乃至図１１、及び図１３に示すように、各第３立上げ平板部１７，１８及び折返平板部１９を、第２直線Ｌ２及び第４直線Ｌ４に沿って、基礎平板体１の裏面１Ｙに折返す。
このとき、各第３立上げ平板部１７は、図９及び図１３に示すように、第２及び第４直線Ｌ２，Ｌ４（第２及び第４折曲直線）に沿って、第１立上げ平板部７の裏面７Ｙに折返され、及び第１立上げ平板部７の裏面７Ｙに当接される。
これにより、第３立上げ平板部７は、第２及び第４直線Ｌ２，Ｌ４の間に位置する折曲平板部２０を境（境界領域）として第１立上げ平板部７の裏面７Ｙに重ねて配置される。
【００５６】
また、第３立上げ平板部１８は、図９及び図１３に示すように、第２及び第４直線Ｌ２，Ｌ４（第２及び第４折曲直線）に沿って、第１立上げ平板部８の裏面８Ｙに折返され、及び第１立上げ平板８の裏面８Ｙに当接される。
これにより、第３立上げ平板部１８は、第２及び第４直線Ｌ２，Ｌ４の間に位置する折曲平板部２１を境（境界領域）として第１立上げ平板部８の裏面８Ｙに重ねて配置される。
【００５７】
更に、折返平板部１９は、図９、図１１及び図１３に示すように、第４直線Ｌ４（第４折曲直線）に沿って、積載平板部６の裏面６Ｙに折返され、及び積載平板部６の裏面６Ｙに当接される。
これにより、折返平板部１９は、第４直線Ｌ４（第４折曲直線）を境（境界線）として積載平板部６の裏面６Ｙに重ねて配置される。
【００５８】
各第３立上げ平板部１７，１８を各第１立上げ平板部７，８の裏面７Ｙ，８Ｙに折返した状態において、各第１立上げ平板部７，８は、図９及び図１３に示すように、第２及び第４直線Ｌ２，Ｌ４の間に位置して、各第２立上げ平板部１５，１６及び各第３立上げ平板部１７，１８の間に配置される。第１立上げ平板部７は、第２立上げ平板部１５及び第３立上げ平板部１７とで挟まれて、第２及び第３立上げ平板部１５，１７の間に配置される。第１立上げ平板部８は、第２立上げ平板部１６及び第３立上げ平板部１８とで挟まれて、第２及び第３立上げ平板部１６，１８の間に配置される。
これにより、右側・第１乃至第３立上げ平板部７，１５，１７は、重畳して配置され、第３立上げ平板部１７、第１立上げ平板部７及び第２立上平板部１５の順に積載される。左側・第１乃至第３立上げ平板部８，１６，１８は、重畳して配置され、第３立上げ平板部１８、第１立上げ平板部８及び第２立上げ平板部１６の順に積載される。
【００５９】
折返平板部１９を積載平板部６の裏面６Ｙに折返した状態において、押えシート２は、図９、図１０、図１１及び図１３に示すように、基礎平板体１の下板縁１Ｂ（下板縁面）及び梱包窓穴３の窓穴上縁３Ａ（窓穴上縁面）に当接（面接触）され、折返平板部１９と共に積載平板部６の裏面６Ｙに折返される。
これにより、押えシート２は、基礎平板体１（積載平板部６）の下板縁１Ｂ及び梱包窓穴３の上窓穴縁３Ａを境（境界領域／境界面）として積載平板部６の裏面６Ｙに重ねて配置される。
【００６０】
折返平板部１９を積載平板部６の裏面６Ｙに折返した状態において、押えシート２は、梱包窓穴３の下窓穴縁３Ｄ（下窓穴縁面）、基礎平板体１の下板縁１Ｂ（下板縁面）及び梱包窓穴３の上窓穴縁３Ａ（上窓穴縁面）に面接触しつつ、積載平板部６の裏面６Ｙ側に引張られて緊張し、積載平板部６上の物品Ｚ（商品）を積載平板部６に押付けて定着する。
【００６１】
各第３立上げ平板部１７，１８を各第１立上げ平板部７，８の裏面７Ｙ，８Ｙに折返し、及び折返平板部１９を積載平板部６の裏面６Ｙに折返した状態において、積載（重畳）された第１乃至第３立上げ平板部７，１５，１７（右側・第１乃至第３立上げ平板部）は、図９、図１０、図１２乃至図１６に示すように、基礎平板体１の右側板縁１Ｃに隣設する第３直線Ｌ３（第３折曲直線）に沿って、積載平板部６の表面６Ｘ側（物品Ｚ側）に立上げられる。
これにより、第１乃至第３立上げ平板部７，１５，１７（右側）は、基礎平板体１の右板縁ＩＣに隣設する第３直線Ｌ３（第３折曲直線）を境（境界線）として積載平板部６の表面６Ｘ側に起立（立設）される。
【００６２】
積載（重畳）された第１乃至第３立上げ平板部８，１６，１８（左側・第１乃至第３立上げ平板部）は、図９、図１０、図１２乃至図１４に示すように、基礎平板体１の左側板縁１Ｄに隣設する第３直線Ｌ３（第３折曲直線）に沿って、積載平板部６の表面６Ｘ側（物品Ｚ側）に立上げられる。
これにより、第１乃至第３立上げ平板部８，１６，１８は、図１４乃至図１６に示すように、基礎平板体１の左板縁１Ｄに隣設する第３直線Ｌ３を境（境界線）として積載平板部６の表面６Ｘ側に起立（立設）され、第１乃至第３立上げ平板７，１５，１７（右側）に対向して配置される。。
第１乃至第３立上げ平板部７，８、１５，１６，１７，１８は、図１４乃至図１６に示すように、例えば、積載平板部６の表面６Ｘに直交して立上げられる。
これにより、梱包用緩衝材Ｘ１は、物品Ｚ（商品）を梱包して組立てられる。
【００６３】
物品Ｚ（商品）を梱包して組立てられた梱包用緩衝材Ｘ１（以下、「組立て梱包した梱包用緩衝材Ｘ１」という）は、運送（運搬）する際に、図１７に示すように、直方体の梱包箱Ｂ内に収納される。
組立て梱包した梱包用緩衝材Ｘ１は、図１７乃至図１９に示すように、積載平板部６の裏面６Ｙ側から梱包箱Ｂに収納される。
組立て梱包した梱包用緩衝材Ｘ１は、積載平板部６の裏面６Ｙに折返した各第３立上げ平板１７，１８及び折返平板部１９を梱包箱Ｂの底平板２５に当接して、梱包箱Ｂ内に収納される。
また、組立て梱包した梱包用緩衝材Ｘ１は、図１９に示すように、立上げた各第３立上げ平板部１７，１８を、梱包箱Ｂの各側平板２６，２６に当接して、梱包箱Ｂ内に収納される。
続いて、組立て梱包した梱包用緩衝材Ｘ１を収納した梱包箱Ｂは、梱包箱Ｂの蓋平板２７を閉じ、及び蓋平板２７を、立上げた各第１乃至第３立上げ平板部７，８，１５，１６，１７，１８に当接して運送する。
【００６４】
第１実施形態の梱包用緩衝材Ｘ１において、梱包窓穴３の下窓穴縁３Ｄは、図２０に示すように、第１直線Ｌ１上に位置して配置しても良い。このとき、下窓穴縁３Ｄは、基礎平板体１の下板縁１Ｂ（第１上板縁部１ａ１，上窓穴縁３Ａ）に平行配置する。
【００６５】
＜第２実施形態＞
第２実施形態の梱包用緩衝材Ｘ２について、図２１乃至図３８を参照して説明する。
なお、図２１乃至図３８において、図１乃至図２１と同一符号は、同一部材、同一構成であるので、その詳細な説明は省略する。
また、説明の便宜上、先ず、組立前の展開した第２実施形態の梱包用緩衝材Ｘ２について説明し、次に、第２実施形態の梱包用緩衝材Ｘ２を組立てて物品（商品）を梱包する要領（組立て梱包方法）について説明する。
【００６６】
図２１乃至図２４において、第２実施形態の梱包用緩衝材Ｘ２（以下、「梱包用緩衝材Ｘ２」という）は、基礎平板体１、押えシート２、及び補強平板３１を備える。
【００６７】
梱包用緩衝材Ｘ２において、基礎平板体１は、図１乃至図６で説明したと同様に、上板縁１Ａ（上板縁面）、下板縁１Ｂ（下板縁面）及び左右一対の側板縁１Ｃ，１Ｄ（側板縁面）を有する。
梱包用緩衝材Ｘ２において、基礎平板体１は、図１乃至図６で説明したと同様に、第１乃至第４直線Ｌ１〜Ｌ４を有し、下平板４及び上平板５で構成される。
梱包用緩衝材Ｘ２において、下平板４は、図１乃至図６で説明したと同様に、積載平板部６、及び一対の第１立上げ平板部７，８とを有して構成される。
梱包用緩衝材Ｘ２において、上平板５は、図１乃至図６で説明したと同様に、一対の第２立上げ平板部１５，１６、一対の第３立上げ平板部１７，１８、及び折返平板部１９と、梱包窓穴３３とを有して構成される。
【００６８】
＜梱包窓穴３３＞
梱包窓穴３３は、図１乃至図６で説明した同様に、上窓穴縁３Ａ、各側窓穴縁３Ｂ，３Ｃを有する。梱包窓穴３３は、図２１乃至図２４に示すように、下窓穴縁３３Ｄ（下窓穴縁面）を有する。
梱包窓穴３３において、下窓穴縁３３Ｄは、図２１、図２２及び図２４に示すように、上下方向Ｖにおいて、第１直線Ｌ１より基礎平板体１の上板縁１Ａ側（梱包窓穴３３の上窓穴縁３Ａ側）に位置して配置される。下窓穴縁３３Ｄは、上下方向Ｖにおいて、第１直線Ｌ１及び梱包窓穴３３の上窓穴縁３Ａの間に配置される。
梱包窓穴３３において、下窓穴縁３３Ｄは、第１下窓穴縁部３３ｄ、及び一対の第２下窓穴縁部３３ｅ，３３ｅを有する。
【００６９】
第１下窓穴縁部３３ｄは、図２１、図２２及び図２４に示すように、上下方向Ｖにおいて、第１直線Ｌ１に第８間隔Ｐ８（第８距離）を隔てて基礎平板体１の下板縁１Ｂ（上窓穴縁３Ａ，第１直線Ｌ１）に平行配置される。第１下窓穴縁部３３ｄは、左右方向Ｗにおいて、梱包窓穴３３の各側窓穴縁３Ｂ，３Ｃの間に延在される。第１下窓穴縁部３３ｄは、左右方向Ｗにおいて、梱包窓穴３３の各側窓穴縁３Ｂ，３Ｃに第９間隔Ｐ９（第９距離）を隔てて配置される。
【００７０】
各第２下窓穴縁部３３ｅ，３３ｅは、図２４に示すように、左右方向Ｗにおいて、第１下窓穴縁部３３ｄの各縁端に連続して配置される。各第２下窓穴縁部３３ｅ，３３ｅは、第１下窓穴縁部３３ｄの各縁端から各側板縁１Ｃ，１Ｄ及び第１直線Ｌ１に向けて傾斜して延在され、梱包窓穴３３の各側窓板縁３Ｂ，３Ｃ及び第１直線Ｌ１に交差する。
【００７１】
＜補強平板３５＞
補強平板３５は、図２１乃至図２５に示すように、梱包窓穴３３の内側に配置され、所定の板厚Ｔを有する。
補強平板３５は、梱包窓穴３３の下窓穴縁部３３Ｄにおいて、第１下窓穴縁部３３ｄ上の第５直線Ｌ３に沿って、積載平板部６に連設される。
補強平板３５は、図２４に示すように、例えば、長方形の平板に形成され、補強上板縁３５Ａ（補強上板縁面）、及び左右一対の補強側板縁３５Ｂ，３５Ｃ（補強側板縁面）を有する。補強平板３５は、左右方向Ｗにおいて、梱包窓穴３３の各側窓穴縁３Ｂ，３Ｃの間に延在される。補強平板３５は、梱包窓穴３３の各側窓穴縁３Ｂ，３Ｃに第８間隔Ｐ８（第８距離）を隔てて配置される。補強平板３５において、各補強側板縁３５Ｂ，３５Ｃは、梱包窓穴３３の各側窓穴縁３Ｂ，３Ｃに第８間隔Ｐ８を隔てて平行配置される。
補強平板３５は、図２４に示すように、上下方向Ｖにおいて、第５直線Ｌ５（第１下窓穴縁部３３ｄ）に第１０間隔Ｐ１０（第１０距離）を隔てて配置される。補強平板３５において、補強上板縁３５Ａは、上下方向Ｖにおいて、第５直線Ｌ５に第１０間隔Ｐ１０を隔てて平行配置される。
補強平板３５は、例えば、補強上板縁３５Ａを梱包窓穴３３の上窓穴縁３Ａに当接して、梱包窓穴３３の内側に配置される。
これにより、補強平板３５は、図２４に示すように、上下方向Ｖにおいて、第１０間隔Ｐ１０の板長Ｓ１を有する。補強平板３５の板長Ｓ１は、上下方向Ｖにおいて、第５直線Ｌ５及び補強上板縁３５Ａの間の長さである。
【００７２】
補強平板３５の板長Ｓ１は、図２４に示すように、例えば、積載平板部６の板長Ｓ２と同一の板長を有する（Ｓ１＝Ｓ２）。
これにより、補強平板３５、及び積載平板部６は、上下方向Ｖにおいて、第５直線Ｌ５及び補強上板縁３５Ａの間隔と、第５直線Ｌ５及び基礎平板体１（積載平板部６）の間の間隔を同一間隔（第１０間隔Ｐ１０）である。
また、補強平板３５の板長Ｓ１、及び積載平板部６の板長Ｓ２の関係は、基礎平板体１の板厚Ｔとすると、０≦Ｓ１−Ｓ２≦Ｔとする。
【００７３】
＜押えシート２＞
押えシート２は、図２２及び図２３に示すように、梱包窓穴３３の内側において、補強平板３５の裏面３５Ｙに当接して配置される。
【００７４】
〈物品の梱包〉
次に、梱包用緩衝材Ｘ２を組立てて、物品Ｚ（商品）を梱包する要領（組立て梱包方法）について、図２５乃至図３５を参照して説明する。
【００７５】
先ず、展開した梱包用緩衝材Ｘ２において、補強平板３５を第５直線Ｌ５（第５折曲直線）に沿って積載平板部６の表面６Ｘ（下平板４の裏面４Ｘ）に折返す（図２５及び図２６参照）。
これにより、補強平板３５は、第５直線Ｌ５を境（境界線）として積載平板部６の表面６Ｘに重ねて配置される。
補強平板３５において、補強上板縁３５Ａは、図２６に示すように、基礎平板体１（積載平板部６）の下板縁１Ｂに面一に配置される。
【００７６】
補強平板３５を積載平板部６の表面６Ｘに折返した状態において、物品Ｚ（商品）を補強平板３５の裏面３５Ｙ上に積載（載置）する（図２６参照）。物品Ｚは、図２６に示すように、補強平板３５の裏面３５Ｙに積載（載置）される。
【００７７】
続いて、図２６及び図２７において、上平板５を第１直線Ｌ１（第１折曲直線）に沿って下平板４の表面４Ｘに折返す。
このとき、各第２立上げ平板部１５，１６は、図２６及び図２７に示すように、第１直線Ｌ１（第１折曲直線）に沿って各第１立上げ平板部７，８の表面７Ｘ，８Ｘに折返される。
これにより、上平板５は、第１直線Ｌ１を境（境界線）として下平板４の裏面４Ｘに重ねて配置される。また、第２立上げ平板部１５，１６は、図２６、図２７及び図３１に示すように、第１直線Ｌ１を境（境界線）として各第１立上げ平板部７，８の表面７Ｘ，８Ｘに重ねて配置される。
【００７８】
押さシート２は、図２６、図２７及び図３０（ａ）に示すように、上平板５の下平板４の折返しにより、第５直線Ｌ５（第５折曲直線）に沿って補強平板３５の裏面３５Ｙに折返される。
これにより、押えシート２は、補強平板３５上の物品Ｚ（商品）を被覆して、第５直線Ｌ５に当接される。押えシート２は、左右方向Ｗにわたって第５直線Ｌ５に当接（面接触）される。押えシート２は、第５直線Ｌ５（第５折曲直線）を境（境界線）として補強平板３５の裏面３５Ｙに重ねて配置される。
補強平板３５上の物品Ｚは、上平板５を下平板４に折返した状態において、押えシート２で被覆されて、梱包窓穴３３の内側に配置（位置）される。
【００７９】
第３立上げ平板部１７，１８は、図２６及び図２７に示すように、上平板５を下平板４に折返した状態において、基礎平板体１（各第１立上げ平板部７，８）の前方に突出して配置される。
折返平板部１９は、図２６及び図２７に示すように、上平板５を下平板４の表面４Ｘに折返した状態において、基礎平板体１（各第１立上げ平板部７，８）の下板縁１Ｂの前方に突出して配置される。
【００８０】
上平板５を下平板４の表面４Ｘに折返した状態において、各第３立上げ平板部１７，１８及び折返平板部１９（上平板５）は、図２８に示すように、下平板４に押付けられ、梱包窓穴３３の上窓穴縁３Ａを補強平板３５の補強上板縁３５A（下板縁１Ｂ）上に配置する。
これにより、梱包窓穴３３の上窓穴縁３Ａ、及び補強平板３５の補強上板縁３５Ａは、上下に重なって位置して、面一に配置される。
【００８１】
続いて、図２８乃至図３０、及び図３２において、各第３立上げ平板部１７，１８及び折返平板部１９を、第２直線Ｌ２及び第４直線Ｌ４に沿って、基礎平板体１の裏面１Ｙに折返す。
このとき、各第３立上げ平板部１７は、図２８及び図３２に示すように、第２及び第４直線Ｌ２，Ｌ４（第２及び第４折曲直線）に沿って、第１立上げ平板部７の裏面７Ｙに折返され、及び第１立上げ平板部８の裏面７Ｙに当接される。
これにより、第３立上げ平板部１７は、第２及び第４直線Ｌ２，Ｌ４の間に位置する折曲平板部２０を境（境界領域）として第１立上げ平板部７の裏面７Ｙに重ねて配置される。
【００８２】
また、第３立上げ平板部１８は、図２８及び図３２に示すように、第２及び第４直線Ｌ２，Ｌ４（第２及び第４折曲直線）に沿って、第１立上げ平板部８の裏面８Ｙに折返され、及び第１立上げ平板部８の裏面８Ｙに当接される。
これにより、第３立上げ平板部１８は、第２及び第４直線Ｌ２，Ｌ４の間に位置する折曲平板部２１を境（境界領域）として第１立上げ平板部８の裏面８Ｙに重ねて配置される。
【００８３】
更に、折返平板部１９は、図２８、図３０及び図３２に示すように、第４直線Ｌ４（第４折曲直線）に沿って、積載平板部６の裏面６Ｙに折返され、及び積載平板部６の裏面６Yに当接される。
これにより、折返平板部１９は、第４直線Ｌ４（第４折曲直線）を境（境界線）として積載平板部６の裏面６Ｙに重ねて配置される。
【００８４】
各第３立上げ平板部１７，１８を各第１立上げ平板部７，８の裏面７Ｙ，８Ｙに折返した状態において、各第１立上げ平板部７，８は、図２８及び図３２に示すように、第２及び第４直線Ｌ２，Ｌ４の間に位置して、各第２立上げ平板部１５，１６及び各第３立上げ平板部１７，１８の間に配置される。
第１立上げ平板部７は、第２立上げ平板部１５及び第３立上げ平板部１７とで挟まれて、第２立上げ平板部１５及び第３平板部１７の間に配置される。
第１立上げ平板部８は、第２立上げ平板部１６及び第３立上げ平板部１８とで挟まれて、第２立上げ平板部１６及び第３平板部１８の間に配置される。
これにより、右側・第１乃至第３立上げ平板部７，１５，１７は、重畳して配置され、第３立上げ平板部１７、第１立上げ平板部７及び第２立上げ平板部１５の順に積載される。
左側・第１乃至第３立上げ平板部８，１６，１８は、重畳して配置され、第３立上げ平板部１８、第１立上げ平板部８及び第２立上げ平板部１６の順に積載される。
【００８５】
折返平板部１９を積載平板部６の裏面６Ｙに折返した状態において、押えシート２は、図２８乃至図３０、及び図３２に示すように、補強平板３５の補強上板縁３５Ａ（補強上板縁面）、基礎平板体１の下板縁１Ｂ（下板縁面）及び梱包窓穴３３の上窓穴縁３Ａ（上窓穴縁面）に当接（面接触）され、折返平板部１９と共に積載平板部６の裏面６Ｙに折返される。
これにより、押えシート２は、補強平板３５の補強平板３５の補強上板縁３５Ａ、基礎平板１の下板縁１Ｂ及び梱包窓穴３３の上窓穴縁３Ａを境（境界領域／境界面）として積載平板部６の裏面６Ｙに重ねて配置される。
【００８６】
折返平板部１９を積載平板部６の裏面６Ｙに折返した状態において、押えシート２は、第５直線Ｌ５、補強平板３５の補強上板縁３５Ａ（補強上板縁面）、基礎平板体１の下板縁１Ｂ（下板縁面）及び梱包窓穴の上窓穴縁３Ａ（上窓穴縁面）に面接触しつつ、積載平板部６の裏面６Ｙ側に引張られて緊張し、積載平板部６上の物品Ｚ（商品）を押付けて定着する。
【００８７】
各第３立上げ平板部１７，１８を各第１立上げ平板部７，８の裏面７Ｙ，８Ｙに折返し、及び折返平板部１９を積載平板部６の裏面６Ｙに折返した状態において、積載（重畳）された第１乃至第３立上げ平板部７，１５，１７（右側・第１乃至第３立上げ平板部）は、図２８、図３１、図３３乃至図３５に示すように、基礎平板体１の右側板縁１Ｃに隣設する第３直線Ｌ３（第３折曲直線）に沿って、積載平板部６の表面６Ｘ側（物品Ｚ側）に立上げられる。
これにより、第１乃至第３立上げ平板部７，１５，１７（右側）は、基礎平板体１の右板縁１Ｃに隣設する第３直線Ｌ３（第３折曲直線）を境（境界線）として積載平板部６の表面６Ｘ側に起立される（立設される）。
【００８８】
積載（重畳）された第１乃至第３立上げ平板部８，１６，１８（左側・第１乃至第３立上げ平板部）は、図２８、図３１、図３３及び図３４に示すように、基礎平板体１の左板縁３Ｄに隣設する第３直線Ｌ３（第３折曲直線）に沿って、積載平板部６の表面６Ｘ側（物品Ｚ側）に立上げられる。
これにより、第１乃至第３立上げ平板部８，１６，１８（左側）は、基礎平板体１の左板縁１Ｄに隣設する第３直線Ｌ３（第３折曲直線）を境（境界線）として積載平板部６の表面６Ｘ側に起立（立設）され、第１乃至第３立上げ平板部７，１５，１７（左側）に対向して配置される。
第１乃至第３立上げ平板部７，８，１５，１６，１７，１８は、例えば、積載平板部６の表面６Ｘに直交して立上げられる。
これにより、梱包用緩衝材Ｘ２は、物品Ｚ（商品）を梱包して組立てられる。
【００８９】
物品Ｚ（商品）を梱包して組立てられた梱包用緩衝材Ｘ２（以下、「組立て梱包した梱包用緩衝材Ｘ２」という）は、運送（運搬）する際に、図３６に示すように、直方体の梱包箱Ｂ内に収納される。
組立て梱包した梱包用緩衝材Ｘ２は、図３６乃至図３８に示すように、積載平板部６の裏面６Ｙ側から梱包箱Ｂに収納される。
組立て梱包した梱包用緩衝材Ｘ２は、積載平板部６の裏面６Ｙに折返した各第３立上げ平板１７，１８及び折返平板部１９を梱包箱Ｂの底平板２５に当接して、梱包箱Ｂ内に収納される。
また、組立て梱包した梱包用緩衝材Ｘ２は、図３８に示すように、立上げた各第３立上げ平板部１７，１８を、梱包箱Ｂの各側平板２６，２６に当接して、梱包箱Ｂ内に収納される。
続いて、組立て梱包した梱包用緩衝材Ｘ２を収納した梱包箱Ｂは、梱包箱Ｂの蓋平板２７を閉じ、及び蓋平板２７を、立上げた各第１乃至第３立上げ平板部７，８，１５，１６，１７，１８に当接して運送する。
【００９０】
第２実施形態２の梱包用緩衝材Ｘ２において、補強平板３５は、図１及び図２０（第１実施形態）で説明した梱包窓穴３であって、下窓穴縁３Ｄ上の直線に沿って積載平板部６に連設しても良い。
第２実施形態の梱包用緩衝材Ｘ２において、補強平板３５の板長は、積載平板部６の板長と同一の板長にすることに限定されず、積載平板部８の板長より短くし、又は長くする構成も採用できる。
【００９１】
＜第３実施形態＞
第３実施形態の梱包用緩衝材Ｙ１について、図３９乃至図６４を参照して説明する。
なお、説明の便宜上、先ず、組立前の展開した第３実施形態の梱包用緩衝材Ｙ１について説明し、次に、第３実施形態の梱包用緩衝材Ｙ１を組立てて物品（商品）を梱包する要領（組立て梱包方法）について、説明する。
【００９２】
図３９乃至図５３において、第３実施形態の梱包用緩衝材Ｙ１「以下、「梱包用緩衝材Ｙ１」という」は、基礎平板体５１、及び押えシート５２（押えフィルム）を備える。
【００９３】
＜基準基礎平板５１＞
基礎平板体５１は、折曲自在な紙、合成樹脂等のシート素材（シート材）、例えば、段ボール（紙製段ボール）、プラスチック段ボール等から形成される。基礎平板体５１は、所定の板厚Ｔ１を有する。
基礎平板体５１は、図３９乃至図５３に示すように、上板縁５１Ａ、下板縁５１Ｂ、及び左右一対の側板縁５１Ｃ，５１Ｄ（右側板縁５１Ｃ、左側板縁５１Ｄ）を有する。
【００９４】
基礎平板体５１において、上板縁５１Ａ及び下板縁５１Ｂは、図４０及び図５２に示すように、上下方向Ｖ１において、相互に間隔ＰＷを隔てて配置される。
【００９５】
基礎平板体５１において、右側板縁５１Ｃ（右側板縁面）及び左側板縁５１Ｄ（左側板縁面）は、図３９に示すように、左右方向Ｗ１に間隔ＰＶ（距離）を隔てて配置される。各側板縁５１Ｃ，５１Ｄは、上下方向Ｖ１において、上板縁５１Ａ及び下板縁５１Ｂの間に延在される。各側板縁５１Ｃ，５１Ｄは、上板縁５１Ａ及び下板縁５１Ｂに交差する。なお、上下方向Ｖ１は、左右方向Ｗ１に直交する方向である。
【００９６】
基礎平板体５１は、図３９乃至図４１、図５１及び図５２に示すように、第１直線ＬＡ（第１折曲直線）、及び一対の第２直線ＬＢ，ＬＢを有する。
【００９７】
第１直線ＬＡは、図３９乃至図４２、図５１及び図５２に示すように、上下方向Ｖ１において、上板縁５１Ａ及び下板縁５１Ｂの間に位置して配置される。第１直線ＬＡは、上下方向Ｖ１において、基礎平板体５１の下板縁５１Ｂに第１間隔ＰＡ（第１距離）を隔てて平行配置される。第１直線ＬＡは、左右方向Ｗ１に延在される。第１直線ＬＡは、各側板縁１Ｃ，１Ｄに交差する。
【００９８】
各第２直線ＬＢ，ＬＢは、図３９乃至図４２、及び図５１に示すように、左右方向Ｗ１において、基礎平板体５１の各側板縁５１Ｃ，５１Ｄの間に配置される。各第２直線ＬＢ，ＬＢは、左右方向Ｗ１において、基礎平板体５１の各側板縁５１Ｃ，５１Ｄに第２間隔ＰＢ（距離）を隔てて配置される。各第２直線ＬＢ，ＬＢは、左右方向Ｗ１において、相互に第３間隔ＰＣ（距離）を隔てて平行配置される。各第２直線ＬＢ，ＬＢは、上下方向Ｖ１に延在され、第１直線ＬＡに直交する。各第２直線ＬＢ，ＬＢは、基礎平板体５１の上板縁５１Ａ及び下板縁５１Ｂに直交する。
【００９９】
基礎平板体５１において、各側板縁５１Ｃ，５１Ｄは、上側板縁５１Ｅ及び下側板縁５１Ｆを有する。上側板縁５１Ｅ（上側板縁面）は、第１直線ＬＡ及び上板縁５１Ａの間に位置する。下側板縁５１Ｆ（下側板縁面）は、第１直線ＬＡ及び下板縁５１Ｂの間に位置する。
【０１００】
基礎平板体５１は、図３９乃至図５３に示すように、下平板５４及び上平板５５とで構成される。
基礎平板体５１において、第１直線ＬＡは、図３９乃至図４１に示すように、下平板５４及び上平板５５の境（境界線）となる。
【０１０１】
＜下平板５４＞
下平板５４は、図３９乃至図４１、及び図５１に示すように、第１直線ＬＡ、基礎平板体５１の下板縁５１Ｂ、及び各側板縁５１Ｃ，５１Ｄとで区画される。
【０１０２】
下平板５４は、図３９乃至図４１、及び図５１に示すように、第３直線ＬＣ（第３折曲直線）、一対の第１折曲切込直線ＬＡ１，ＬＡ１、一対の第７直線ＬＧ，ＬＧ（第７折曲直線）、一対の第１切込直線ＬＨ，ＬＨ、一対の第８直線ＬＩ，ＬＩ（第９折曲直線）、一対の第１下側板縁部５１Ｇ，５１Ｇ、及び一対の第２下側板縁部５１Ｈ，５１Ｈを有する。
【０１０３】
第３直線ＬＣは、図３９乃至図４１、及び図５１に示すように、上下方向Ｖ１において、第１直線Ｌ１及び下板縁１Ｂの間に配置される。第３直線ＬＢは、上下方向Ｖ１において、第１直線ＬＡに第４間隔ＰＤ（第４距離）を隔てて平行配置される。第３直線Ｌ３は、上下方向Ｖ１において、基礎平板体５１の下板縁５１Ｂに第５間隔ＰＥ（第５距離）を隔てて平行配置される。
第３直線ＬＣは、左右方向Ｗ１において、各第２直線ＬＢ，ＬＢの間に延在され、各第２直線ＬＢ，ＬＢに直交する。
【０１０４】
各第１折曲切込直線ＬＡ１，ＬＡ１は、図３９乃至図４１、図４８、図４９、図５１及び図５３に示すように、第１直線ＬＡ上に配置され、第１直線ＬＡに沿って形成される。各第１折曲切込直線ＬＡ１，ＬＡ１は、左右方向Ｗ１において、各第２直線ＬＢ，ＬＢより各側板縁５１Ｃ，５１Ｄの下側板縁５１Ｆ側に配置される。各第１折曲切込直線ＬＡ１，ＬＡ１は、左右方向Ｗ１において、各側板縁５１Ｃ，５１Ｄの下側板縁５１Ｆに隣設する各第２直線ＬＢ，ＬＢ、及び各側板縁５１Ｃ，５１Ｄの下側板縁５１Ｆの間に配置される。
各第１折曲切込直線ＬＡ１，ＬＡ１は、左右方向Ｗ１において、各第２直線ＬＢ，ＬＢに間隔を隔てて、各側板縁５１Ｃ，５１Ｄの下側板縁５１Ｆ側に配置される。
各第１折曲切込直線ＬＡ１，ＬＡ１は、左右方向Ｗ１に延在され、各側板縁５１Ｃ，５１Ｄの下側板縁５１Ｆに交差する。
各第１折曲切込直線ＬＡ１，ＬＡ１は、図４８及び図４９に示すように、基礎平板体５１の板厚方向Ｕ１において、基礎平板体５１の表面５１Ｘから切込まれる。各第１折曲切込直線ＬＡ１，ＬＡ１は、板厚方向Ｕ１において、基礎平板体５１の板厚Ｔ１の半分（板厚Ｔの途中）まで切込まれ、基礎平板体５１の表面５１Ｘに開口する。
【０１０５】
各第７直線ＬＧ，ＬＧ（第７折曲直線）は、図３９乃至図４１、図５１及び図５３に示すように、左右方向Ｗ１において、各第２直線ＬＢ，ＬＢより各側板縁５１Ｃ，５１Ｄの下側板縁５１Ｆ側に配置される。各第７直線ＬＧ，ＬＧは、左右方向Ｗ１において、各側板縁５１Ｃ，５１Ｄの下側板縁５１Ｆに隣設する各第２直線ＬＢ，ＬＢ、及び各側板縁５１Ｃ，５１Ｄの間に配置される。
各第７直線ＬＧ，ＬＧは、上下方向Ｖ１において、第１直線ＬＡ及び第３直線ＬＣの間に配置される。各第７直線ＬＧ，ＬＧは、図５１に示すように、上下方向Ｖ１において、第１直線Ｌ１に第８間隔ＰＨ（第８距離）を隔てて平行配置される。各第７直線ＬＧ，ＬＧは、各側板縁５１Ｃ，５１Ｄの下側板縁５１Ｆに隣設する各第２直線ＬＢ，ＬＢに直交して、左右方向Ｗ１において、各側板縁５１Ｃ，５１Ｄの上側板縁５１Ｅに向けて延在される。
【０１０６】
各第１切込直線ＬＨ，ＬＨは、図３９乃至図４１、図４６、図４７、図５１及び図５３に示すように、左右方向Ｗ１において、各第２直線ＬＢ，ＬＢより各側板縁５１Ｃ，５１Ｄの下側板縁５１Ｆ側に配置される。各第１切込直線ＬＨ，ＬＨは、左右方向Ｗ１において、各側板縁５１Ｃ，５１Ｄの下側板縁５１Ｆに隣設する各第２直線ＬＢ，ＬＢ、及び各側板縁５１Ｃ，５１Ｄの下側板縁５１Ｆ，５１Ｆの間に配置される、
各第１切込直線ＬＨ，ＬＨは、左右方向Ｗ１において、各第２直線ＬＢ，ＬＢに第９間隔ＰＩ（第９距離）を隔てて平行配置される。各第１切込直線ＬＨ，ＬＨは、上下方向Ｖ１に間に延在され、第１切込直線ＬＡ１，ＬＡ１及び各第７直線ＬＧ，ＬＧに直交する。
各第１切込直線ＬＨ，LＨは、図４６及び図４７に示すように、基礎平板体５１の板厚方向Ｕ１において、基礎平板体５１を貫通して切込まれ、基礎平板体５１の表面５１Ｘ及び裏面５１Ｙに開口する。
【０１０７】
各第８直線ＬＩ，ＬＩは、図３９乃至図４１、及び図５１に示すように、左右方向Ｗ１において、各第２直線ＬＢ，ＬＢより各側板縁５１Ｃ，５１Ｄの下側板縁５１Ｆ側に配置される。各第８直線ＬＩ，ＬＩは、各側板縁５１Ｃ，５１Ｄの下側板縁５１Ｆに隣設する各第２直線ＬＢ，ＬＢ、及び各側板縁５１Ｃ，５１Ｄの下側板縁５１Ｆ，５１Ｆの間に配置される。
各第８直線ＬＩ，ＬＩは、図５１に示すように、各第７直線ＬＧ，ＬＧ及び各第１切込直線ＬＨ，ＬＨの各第３交点ＱＣ，ＱＣから延在される。
各第８直線ＬＩ，ＬＩは、第１直線Ｌ１（各第１折曲切込直線ＬＡ１，ＬＡ１）に第２鋭角度θ２をなして、各第３交点ＱＣ，ＱＣから各側板縁５１Ｃ，５１Ｄの下側板縁５１Ｅ及び基礎平板体５１の下板縁５１Ｂに向けて延在される。各第８直線ＬＩ，ＬＩは、各側板縁５１Ｃ，５１Ｄの下側板縁５１Ｆに交差する。第２鋭角度θ２は、θ２＝０度（０°）を超えて、θ２＝９０度（９０°）未満であって、例えば、θ２＝１２．６０度（１２．６０°）に設定する。
【０１０８】
各第１下側板縁部５１Ｇ，５１Ｇは、図３９乃至図４１、図４４、図４６及び図５１に示すように、各側板縁５１Ｃ，５１Ｄの下側板縁５１Ｆを構成する。各第１下側板部５１Ｇ，５１Ｇは、上下方向Ｖ１において、第３直線Ｌ３及び基礎平板体５１の下板縁５１Ｂの間に配置される。
各第１下側板縁部５１Ｇ，５１Ｇは、図３９及び図５１に示すように、各第２直線ＬＢ，ＬＢ及び第３直線ＬＣの各第１交点ＱＡ，ＱＡから延在される。各第１下側板縁部５１Ｇ，５１Ｇは、各第１交点ＱＡ，ＱＡから上下方向Ｖ１に延在され、基礎平板体５１の下板縁５１Ｂに直交する。
【０１０９】
各第２下側板縁部５１Ｈ，５１Ｈは、図３９乃至図４１、及び図５１に示すように、各側板縁５１Ｃ，５１Ｄの下側板縁５１Ｆを構成する。各第２下側板縁部５１Ｈ，５１Ｈは、上下方向Ｖ１において、第１直線ＬＡ及び第３直線ＬＣの間に配置される。
各第２下側板縁部５１Ｈ，５１Ｈは、図５１に示すように、各第２直線ＬＢ，ＬＢに第１鋭角度θ１をなして延在される。各第２下側板縁部５１Ｈ，５１Ｈは、各第１交点ＱＡ，ＱＡから各側板縁５１Ｃ，５１Ｄの下側板縁５１Ｆ及び第１直線ＬＡに向けて延在される。
【０１１０】
下平板５４は、図３９乃至図４１、図４３乃至図４９及び図５１に示すように、積載平板部６１、一対の第１立上げ平板部６２，６３、下脚平板部６４及び係止平板部６５とで構成される。
【０１１１】
下平板５４において、積載平板部６１は、図３９乃至図４１、及び図５１に示すように、第１直線ＬＡ、各第２直線ＬＢ，ＬＢ及び第３直線ＬＣとで四角形に区画される。積載平板部６１は、例えば、長方形の平板に形成される。
【０１１２】
下平板５４において、各第１立上げ板部６２，６３は、図３９乃至図４１、図４３乃至図４８及び図５１に示すように、左右方向Ｗ１において、積載平板部６１の両側に配置される。
各第１立上げ平板部６２，６３は、第１直線Ｌ１、各第２直線ＬＢ，ＬＢ、及び各第２下側板縁部５１Ｈ，５１Ｈ側の下側板縁５１Ｆとで区画される。第１立上げ平板部６２（右側・第１立上げ平板部）は、第１直直線ＬＡ、右側板縁５１Ｃの下側板縁５１Ｆに隣設する第２直線ＬＢ、及び第２下側縁部５１Ｈ側の右側板縁５１Ｃ（下側板縁５１Ｆ）とで区画される。第１立上げ平板部６３（左側・第１立上げ平板部）は、第１直線ＬＡ、左側板縁５１Ｄの下側板縁５１Ｆに隣設する第２下側板縁部５１側の左側板縁５１Ｄ（下側板縁５１Ｆ）とで区画される。
第１立上げ平板部６２は、第１直線ＬＡ（第１折曲切込直線ＬＡ１）、及び右側板縁５１Ｃの下側板縁５１Ｆに隣設する第２直線ＬＢに連設される。これにより、第１立上げ平板部６２は、左右方向Ｗ１において、右側板縁５１Ｃ（下側板縁５１Ｆ）に隣設する第２直線ＬＢに沿って積載平板部６１に連設される。
第１立上げ平板部６３は、第１直線ＬＡ（第１折曲切込直線ＬＡ１）、及び左側板縁５１Ｄの下側板縁５１Ｆに隣設する第２直線ＬＢに連設される。これにより、第１立上げ平板部６３は、左右方向Ｗ１において、左側板縁５１Ｄ（下側板縁５１Ｆ）に隣設する第２直線ＬＢに沿って積載平板部６１に連設される。
各第１立上げ平板部６２，６３は、図３９乃至図４１、図５１及び図５３に示すように、一対の第１折込平板部８３，８４を有する。各第１折込平板部８３，８４は、第１折曲切込直線ＬＡ１，ＬＡ１、各第８直線ＬＩ，ＬＩ、第１切込直線ＬＨ，ＬＨ、及び基礎平板体５１の各側板縁５１Ｃ，５１Ｄとで区画される。
【０１１３】
下平板５４において、各第２直線ＬＢ，ＬＢは、図３９乃至図４１、及び図５１に示すように、各第１立上げ平板部６２，６３及び積載平板部６１の境（境界線）となる。
【０１１４】
下平板５４において、下脚平板部６４は、図３９乃至図４１、図４３乃至図４６、及び図５１に示すように、左右方向Ｗ１において、各第１立上げ平板部６２，６３の間に配置される。下脚平板部６４は、第３直線ＬＣ、各側板縁５１Ｃ，５１Ｄの下側板縁５１Fの第１下側板縁部５１Ｇ、及び基礎平板体５１の下板縁５１Ｂとで四角形に区画される。
下脚平板部６４は、第３直線ＬＣに連設される。これにより、下脚平板部６４は、上下方向Ｖ１において、第３直線ＬＣに沿って積載平板部６１に連設される。
【０１１５】
下平板５４において、第３直線ＬＣは、図３９乃至図４１、及び図５１に示すように、下脚平板部６４及び積載平板部６１の境（境界線）となる。
【０１１６】
下平板５４において、係止平板部６５は、図３９乃至図４１、図４５及び図５１に示すように、第３直線ＬＣに沿って積載平板部６１に連設される。係止平板部６５は、上下方向Ｖ１において、積載平板部６１から基礎平板体５１の下板縁５１Ｂ側に突出され、左右方向Ｗ１において、各第２直線ＬＢ，ＬＢの間に延在して形成される。
【０１１７】
係止平板部６５は、図５１に示すように、第３直線ＬＣ、一対の第２切込直線ＬＪ，ＬＪ及び第３切込直線ＬＫとで四角形に区画される。
【０１１８】
各第２切込直線ＬＪ，ＬＪは、図５１に示すように、左右方向Ｗ１において、基礎平板本体１の中心線ｂの両側に配置される。各第２切込直線ＬＪ，ＬＪは、左右方向Ｗ１において、基礎平板体１の中心線ｂに第１０間隔ＰＪ（第１０距離）を隔てて平行配置される。各第２切込直線ＬＪ，ＬＪは、各第２直線ＬＢ，ＬＢに平行配置される。
各第２切込直線ＬＪ，ＬＪは、上下方向Ｖ１において、第３直線ＬＣに直交して、第３直線ＬＣ及び基礎平板体５１の下板縁５１Ｂの間に延在される。各第２切込直線ＬＪ，ＬＪは、上下方向Ｖ１において、第３直線ＬＣから基礎平板体５１の下板縁５１Ｂに至る途中まで延在される。
【０１１９】
第３切込直線ＬＫは、図５１に示すように、上下方向Ｖ１において、第３直線ＬＣに第１１間隔ＰＫ（第１１距離）を隔てて平行配置される。第３切込直線ＬＫは、左右方向Ｗ１において、各第２切込直線ＬＪ，ＬＪの間に延在され、各第２切込直線ＬＪ，ＬＪに直交する。
【０１２０】
各第２切込直線ＬＪ，ＬＪ、及び第３切込直線ＬＫは、基礎平板体５１の板厚方向Ｕ１において、基礎平板体５１を貫通して切込まれ、基礎平板体５１の表面５１Ｘ及び裏面５１Yに開口される。
これにより、係止平板部６５は、各第２切込直線ＬＪ，ＬＪ、及び第３切込直線ＬＫに沿って下脚平板部６４から切離され、上下方向Ｖ１において、第３直線ＬＣに沿って積載平板部６１に連設される。
【０１２１】
下平板５４において、各第２直線ＬＢ，ＬＢは、図３９乃至図４１、及び図５１に示すように、積載平板部６１及び各第１立上げ平板部６２，６２の境界線（境界）となる。
下平板５４において、第３直線ＬＣは、図３９乃至図４１、及び図５１に示すように、積載平板部６１及び下脚平板部６４の境界線（境界）となる。
【０１２２】
＜上平板５５＞
上平板５５は、図３９乃至図４１、及び図５２に示すように、第１直線ＬＡ、基礎平板体５１の上板縁５１Ａ、各側板縁５１Ｃ，５１Ｄとで区画される。
上平板５５は、図３９乃至図４１、及び図５２に示すように、一対の第４直線ＬＤ，ＬＤ（第４折曲直線）、一対の第５直線ＬＥ，ＬＥ（第５折曲直線）、一対の第６直線ＬＦ，ＬＦ（第５折曲直線）、一対の第９直線ＬＭ，ＬＭ（第９折曲直線）、一対の第１０直線ＬＮ，ＬＮ（第１０折曲直線）、一対の上側板縁部５１Ｉ，５１Ｉを有する。
【０１２３】
各第４直線ＬＤ，ＬＤは、図３９乃至図４１、及び図５２に示すように、左右方向Ｗ１において、各第２直線ＬＢ，ＬＢより各側板縁の上側板縁５１Ｅ側に位置して配置される。各第４直線ＬＤ，ＬＤは、左右方向Ｗ１において、各第２直線ＬＢ，ＬＢに第６間隔ＰＦ（第６距離）を隔てて平行配置される。第６間隔ＰＦは、基礎平板体５１の板厚Ｔ以上、例えば、基礎平板体５１の板厚Ｔ（１枚の板厚）の間隔である。第６間隔ＰＦは、基礎平板体５１の板厚Ｔ（１枚の板厚）以上、２倍の板厚Ｔ（２×Ｔ）以下（Ｔ≦Ｐ６≦２×Ｔ）、更に、基礎平板体５１の板厚Ｔを超えて２倍の板厚Ｔ未満（Ｔ＜Ｐ６＜２×Ｔ）とすることもできる。
各第４直線ＬＤ，ＬＤは、上下方向Ｖ１に延在され、基礎平板体１の上板縁５１Ａに直交（交差）する。
【０１２４】
各第５直線ＬＥ，ＬＥは、図３９乃至図４１、及び図５１に示すように、上下方向Ｖ１において、第１直線ＬＡ及び基礎平板体５１の上板縁５１Ａの間に配置される。各第５直線ＬＥ，ＬＥは、図５２に示すように、上下方向Ｖ１の上板縁５１Ａ側において、第１直線ＬＡから第４間隔ＰＤ（第４距離）を隔てる各第２直線ＬＢ，ＬＢ上の各基点ＱＸ，ＱＸにおいて、各基点ＱＸ，ＱＸから延在される。
各第５直線ＬＥ，ＬＥは、図５２に示すように、各第２直線ＬＢ，ＬＢに第１鋭角度θ１をなして、各基点ＱＸ，ＱＸから各側板縁５１Ｃ，５１Ｄの上側板縁５１Ｅ及び第１直線ＬＡに向けて延在される。各第５直線ＬＥ，ＬＥは、各側板縁５１Ｃ，５１Ｄの上側板縁５１Ｅに交差する。第１鋭角度θ１は、θ１＝０度（０°）を超えて、θ１＝９０度（９０°）未満であって、例えば、θ１＝４５度（４５°）に設定する。
【０１２５】
各第６直線ＬＦ，ＬＦは、図３９乃至図４１、及び図５２に示すように、各第５直線ＬＥ，ＬＥに第７間隔ＰＧ（第７距離）を隔てて平行配置される。各第６直線ＬＦ，ＬＦは、各第２直線ＬＢ，ＬＢに第１鋭角度θ１をなして、各側板縁５１Ｃ，５１Ｄ及び第１直線ＬＡに向け延在される。第７間隔ＰＧは、基礎平板体５１の板厚Ｔ（１枚の板厚）以上、２倍の板厚Ｔ（２×Ｔ）以下（Ｔ≦ＰＧ≦２×Ｔ）、更に、基礎平板体５１の１．５倍の板厚Ｔを超えて３倍の板厚Ｔ未満（１．５×Ｔ＜ＰＧ＜３×Ｔ）とすることもできる。
各第６直線ＬＦ，ＬＦは、各第４直線ＬＤ，ＬＤに交差され、及び各側板縁５１Ｃ，５１Ｄの上側板縁５１Ｅに交差する。
【０１２６】
各第９直線ＬＭ，ＬＭは、図３９乃至図４１、及び図５２に示すように、左右方向Ｗ１において、各第２直線ＬＢ，ＬＢより各側板縁５１Ｃ，５１Ｄの上側板縁５１Ｅ側に配置される。各第９直線ＬＭ，ＬＭは、各側板縁５１Ｃ，５１Ｄの上側板縁５１Ｅに隣設する各第２直線ＬＢ，ＬＢ、及び各側板縁５１Ｃ，５１Ｄの上側板縁５１Ｅの間に配置される。
各第９直線ＬＭ，ＬＭは、上下方向Ｖ１において、第１直線ＬＡ及び各第５直線ＬＥ，ＬＥの間に配置される。
各第９直線ＬＭ，ＬＭは、上下方向Ｖ１において、第１直線ＬＡに第８間隔ＰＨ（距離）を隔てて平行配置される。各第９直線ＬＭ，ＬＭは、上下方向Ｖ１において、各第７直線ＬＧ，ＬＧに対向して平行配置される。
各第９直線ＬＭ，ＬＭは、各第４直線ＬＤ，ＬＤに直交して、各側板縁５１Ｃ，５１Ｄの上側板縁５１Ｅに向けて延在される。各第９直線ＬＭ，ＬＭは、左右方向Ｗ１において、各第１切込直線ＬＨ，ＬＨに直交する。
【０１２７】
各第１０直線ＬＮ，ＬＮは、図３９乃至図４１に示すように、左右方向Ｗ１において、各第４直線ＬＤ，ＬＤより各側板縁５１Ｃ，５１Ｄの上側板縁５１Ｅ側に配置される。各第１０直線ＬＮ，ＬＮは、各側板縁５１Ｃ，５１Ｄの上側板縁５１Ｅに隣設する各第４直線ＬＤ，ＬＤ、及び各側板縁５１Ｃ，５１Ｄの上側板縁５１Ｅの間に配置される。
各第１０直線ＬＮ，ＬＮは、図５２に示すように、各第９直線ＬＭ，ＬＭ及び各第切込直線ＬＨ，ＬＨの各第４交点ＱＤ，ＱＤにおいて、各第４交点ＱＤ，ＱＤから延在される。
各第１０直線ＬＮ，ＬＮは、第１直線ＬＡ（各第１折曲切込直線ＬＡ１，ＬＡ１）に第２鋭角度θ２をなして、各第４交点ＱＤ，ＱＤから各側板縁５１Ｃ，５１Ｄの上側板縁５１Ｅ及び基礎平板体１の上板縁５１Ａに向けて延在される。
各第１０直線ＬＮ，ＬＮは、各側板縁５１Ｃ，５１Ｄの上側板縁５１Ｅに交差する。各第１０直線ＬＮ，ＬＮは、上下方向Ｖ１において、各第８直線ＬＩ，ＬＩに対向して配置される。
【０１２８】
各上側板縁部５１Ｉ，５１Ｉは、図３９乃至図４１、及び図５２に示すように、各側板縁５１Ｃ，５１Ｄの上側板縁５１Ｅを構成する。
各上側板縁部５１Ｉ，５１Ｉは、各第５直線ＬＥ，ＬＥに連続して形成される。各上側板縁部５１Ｉ，５１Ｉは、図５２に示すように、各側板縁５１Ｃ，５１Ｄの上側板縁５１Ｅに隣設する各第２直線ＬＢ，ＬＢに第１鋭角度θ１をなして、第１直線ＬＡ及び各側板縁５１Ｃ，５１Ｄの上側板縁５１Ｅに向けて延在される。
【０１２９】
基礎平板体５１において、上板縁５１Ａは、図３９乃至図４２、図４４乃至図４６、及び図５２に示すように、第１上板縁部５１Ｊ、及び一対の第２上板縁部５１Ｋ，５１Ｋを有する。
第１上板縁部５１Ｊは、上下方向Ｖ１において、第１直線Ｌ１に間隔を隔てて平行配置される。第１上板縁部５１Ｊは、左右方向Ｗ１において、各第４直線ＬＤ，ＬＤの間に延在され、各第４直線ＬＤ，ＬＤに直交する。
各第２上板縁部５１Ｋ，５１Ｋは、図５２に示すように、第1上板縁部５１Ｊ及び各第４直線ＬＤ，ＬＤの第５交点ＱＥ，ＱＥにおいて、各第５交点ＱＥ，ＱＥから延在される。
各第２上板縁部５１Ｋ，５１Ｋは、図５２に示すように、第１上板縁５１Ｊに第２鋭角度θ２をなして、各第５交点ＱＥ，ＱＥから各第４直線ＬＤ，ＬＤに隣設する各側縁５１Ｃ，５１Ｄの上側板縁５１Ｅ及び第１直線Ｌ１に向けて延在される。各第２上板縁部５１Ｋ，５１Ｋは、各第４直線ＬＤ，ＬＤに隣設する各側板縁５１Ｃ，５１Ｄの上側板縁５１Ｅに交差する。
【０１３０】
上平板５５は、図３９乃至図５２に示すように、梱包窓穴７１、一対の第２立上げ平板部７２，７３、上脚平板部７４、一対の側脚平板部７５，７６、及び係止溝穴７７とで構成される。
【０１３１】
＜梱包窓穴７１＞
梱包窓穴７１は、図３９乃至図４１、図４５、図５１及び図５２に示すように、上平板５５（基礎平板体５１）に形成される。梱包窓穴７１は、基礎平板体５１の板厚方向Ｕ１において、上平板５５（基礎平板体５１）を貫通する。梱包窓穴７１は、例えば、長方形の窓穴（矩形又は正方形の窓穴）に形成され、上平板５５の表面５５Ｘ及び裏面５５Ｙ（基礎平板体５１の表面５１Ｘ及び裏面５１Ｙ）に開口される。
梱包窓穴７１は、上窓穴縁７１Ａ（上窓穴縁面）、左右一対の側窓穴縁７１Ｂ，７１Ｃ（側窓穴縁面）、及び下窓穴縁７１Ｄ（下窓穴縁面）を有する。各窓穴縁７１Ａ〜７１Ｄ（窓穴板縁面）は、梱包窓穴７１の窓穴縁（窓穴縁面）を構成する。
【０１３２】
梱包窓穴７１の上窓穴縁７１Ａは、図５２に示すように、各第２交点ＱＢ，ＱＢの間に延在され、基礎平板体５１の下板縁５１Ｂ（第１上板縁部５１Ｊ）に平行配置される。
上窓穴縁７１Ａは、上下方向Ｖ１において、上板縁５１Ａの第１上板縁部５１Ｊに第５間隔ＰＥ（距離）を隔てて平行配置される。上窓穴縁７１Ａは、各第２交点ＱＢ，ＱＢにおいて、各第４直線ＬＤ，ＬＤに直交し、及び各第６直線ＬＦ，ＬＦに交差する。
【０１３３】
梱包窓穴７１の各側窓穴縁７１Ｂ，７１Ｃは、図３９乃至図４１、及び図５２に示すように、各第４直線ＬＤ，ＬＤ上に位置して、各第２直線ＬＢ，ＬＢに平行配置される。各側窓穴縁７１Ｂ，７１Ｃは、各第４直線ＬＤ，ＬＤに沿って形成され、上窓穴縁７１Ａに直交する。
【０１３４】
梱包窓穴７１の下窓穴縁７１Ｄは、左右方向Ｗ１において、各側窓穴縁７１Ｂ，７１Ｃの間に延在される。下窓穴縁７１Ｄは、上下方向Ｖ１において、第１直線ＬＡより基礎平板体５１の上板縁５１Ａ側に位置して、基礎平板体５１の下板縁５１Ｂに平行配置される。下窓穴縁７１Ｄは、梱包窓穴７１の各側窓穴縁７１Ｂ，７１Ｃ（各第４直線ＬＤ，ＬＤ）に交差する。
【０１３５】
＜第２立上げ平板部７２，７３＞
上平板５５において、各第２立上げ平板部７２，７３は、図３９乃至図４１、図４４乃至図４７、図５０及び図５２に示すように、第１直線ＬＡ、各第５直線ＬＥ，ＬＥ、梱包窓穴７１の各側窓穴縁７１Ｂ，７１Ｃ、及び各側板縁５１Ｃ，５１Ｄの上側板縁５１Ｅとで区画される。
第２立上げ平板部７２（右側・第２立上げ平板部）は、第１直線ＬＡ、第５直線ＬＥ、右側板縁５１Ｃの上側板縁５１Ｅに隣設する梱包窓穴７１の側窓穴縁７１Ｂ（右側窓穴縁
）、及び右側窓穴縁５１Ｃの上側板縁５１Ｅとで区画される。
第２立上げ平板部７３（左側・第２立上げ平板部）は、第１直線ＬＡ、第５直線ＬＥ、左側板縁５１Ｄの上側板縁５１Ｅに隣設する梱包窓穴７１の側窓穴縁７１Ｃ（左側窓穴縁）、及び左側板縁５１Ｄの上側板縁５１Ｅとで区画される。
第２立上げ平板部７２は、第１直線ＬＡ、第５直線ＬＥ、及び梱包窓穴７１の右側窓穴縁７１Ｂに連設される。これにより、第２立上げ平板部７２は、上下方向Ｖ１において、第１直線ＬＡに沿って、第１立上げ平板部６２（右側・第１立上げ平板部）に連設される。
第２立上げ平板部７３は、第１直線ＬＡ、第５直線ＬＥ、及び梱包窓穴７１の左側窓穴縁７１Ｃに連設される。これにより、第２立上げ平板部７３は、上下方向Ｖ１において、第１直線ＬＡに沿って、第１立上げ平板部６３（左側・第１立上げ平板部）に連設される。
各第２立上げ平板部７２，７３は、図３９乃至図４１、図５２及び図５３に示すように、一対の第２折込平板部８５，８６を有する。各第１折込平板部８５，８６は、第１折曲切込直線ＬＡ１，ＬＡ１、各第１０直線ＬＮ，ＬＮ、第１切込直線ＬＨ，ＬＨ、及び基礎平板体５１の各側板縁５１Ｃ，５１Ｄとで区画される。
【０１３６】
＜上脚平板部７４＞
上平板５５において、上脚平板部７４は、図３９乃至図４２、図４４、図４６及び図５２に示すように、各第４直線ＬＤ、ＬＤ、基礎平板体５１の第１上板縁部５１Ｊ（上板縁５１Ａ）及び梱包窓穴７１の上窓穴縁７１Ａとで区画される。上脚平板部７４は、左右方向Ｗ１において、各第４直線ＬＤ，ＬＤに連設される。これにより、上脚平板部７４は、図５２に示すように、左右方向Ｗ１において、各側脚平板部７５，７６の間に配置され、各側脚平板部７５，７６に連設される。
【０１３７】
＜側脚平板部７５，７６＞
上平板５５において、各側脚平板部７５，７６は、図３９乃至図４２、図４４、図４６及び図５２に示すように、左右方向Ｗ１において、上脚平板部７４の両側に連設される。各側脚平板部７５，７６は、各第４直線ＬＤ，ＬＤ、各第６直線ＬＦ，ＬＦ、及び上板縁５１Ａ（各第２上板縁部５１Ｋ，５１Ｋ）、及び各側板縁５１Ｃ，５１Ｄの上側板縁５１Ｅとで区画される。
側脚平板部７５（右側・側脚平板部）は、右側板縁５１Ｃの上側板縁５１Ｅに隣設する第４直線ＬＤ、第６直線ＬＦ、右側板縁５１Ｃの上側板縁５１Ｅに隣設する第２上板縁部５１Ｋ、及び右側板縁７１Ｃの上側板縁５１Ｅとで区画される。
側脚平板部７６（左側・側脚平板部）は、左側板縁５１Ｄの上側板縁５１Ｅに隣設する第４直直線ＬＤ、第６直線ＬＦ、左側板縁５１Ｄの上側板縁５１Ｅに隣設する第２上板縁部５１Ｋ、及び左側板縁５１Ｄの上側板縁５１Ｅとで区画される。
側脚平板部７５，７６は、各第４直線ＬＤ，ＬＤ、及び各第６直線ＬＦ，ＬＦに連設される。これにより、側脚平板部７５は、上下方向Ｖ１において、第５及び第６直線ＬＥ，ＬＦの間の第７間隔ＰＧ（折曲平板部８１）を介在して、第２立上げ平板部７２（右側・第２立上げ平板部）に連設される。側脚平板部７６は、上下方向Ｖ１において、第５及び第６直線ＬＥ，ＬＦの間の第７間隔ＰＧ（折曲平板部８２）を介在して、第２立上げ平板部７３（左側・第２立上げ平板部）に連設される。
【０１３８】
＜係止穴溝７７＞
上平板５５において、係止穴溝７７は、図３９乃至図４１、図４５及び図５２に示すように、上下方向Ｖ１において、係止平板部６５に対向して上脚平板部７４に形成される。係止穴溝７７は、基礎平板体５１の板厚方向Ｕ１において、上脚平板部７４を貫通する。係止穴溝７７は、上脚平板部７４の表面７４Ｘ及び７４Ｙに開口され、係止平板部６５を圧入自在とする。
係止穴溝７７は、図５２に示すように、梱包窓穴７１の上窓穴縁７１Ａに沿って形成され、上下方向Ｖ１において、梱包窓穴７１に開口される。
係止穴溝７７は、左右方向Ｗ１において、基礎平板体１の中心線ｂの両側に第１２間隔ＰＬ（距離）を隔てる溝幅を有する。係止穴溝７７は、上下方向Ｖの上板縁５１Ａ側１において、梱包窓穴７１の上窓穴縁７１Ａに第１３間隔ＰＭ（距離）を隔てる溝深を有する。係止穴溝７７において、係止穴溝７７の溝幅は、係止平板部６５において、２倍の第１０間隔ＰＪ（係止平板部６５の板幅）より僅かに狭くされる。係止溝穴７７の溝深（第１３間隔ＰＭ）は、基礎平板体５１の板厚Ｔ以上、例えば、基礎平板体５１の板厚Ｔ（１枚の板厚Ｔ）の間隔である。係止溝穴７７の溝深（第２間隔ＰＭ）は、基礎平板体５１の板厚Ｔ（１枚の板厚）以上、２倍の板厚Ｔ（２×Ｔ）以下（Ｔ≦Ｐ６≦２×Ｔ）、更に、基礎平板体５１の板厚Ｔを超えて２倍の板厚Ｔ未満（Ｔ＜Ｐ６＜２×Ｔ）とすることもできる。
【０１３９】
上平板５５において、各第５直線ＬＥ，ＬＥ及び各第６直線ＬＦ，ＬＦの間の第７間隔ＰＧ（第７距離）は、図５２に示すように、各第２立上げ平板部７２，７３及び各側脚平板部７５，７６の境界領域（折曲平板部８１，８２）となる。
上平板５５において、各第４直線ＬＤ，ＬＤは、図３９乃至図４１、及び図５２に示すように、下脚平板部７４及び各側脚平板部７５，７６の境界線（境界）となる。
【０１４０】
下平板５４及び上平板５５において、第１直線Ｌ１は、図３９乃至図４１に示すように、各第１立上げ平板部６２，６３及び第２立上げ平板部７２，７３の境界線（境界）となる。
【０１４１】
＜押えシート５２＞
押えシート５２（押えフィルム）は、図３９乃至図４１、図５０及び図５２に示すように、基礎平板体５１の裏面５１Ｙに積層される。押えシート５２は、例えば、長方形に形成され、各第２直線ＬＢ，ＬＢの間の第３間隔ＰＣより狭いフィルム幅を有する。
【０１４２】
押えシート５２は、図４０及び図５２に示すように、基礎平板体５１の裏面５１Ｙにおいて、各第２直線ＬＢ，ＬＢの間に位置して、上下方向Ｖ１に延在して配置される。
押えシート５２は、左右方向Ｗ１において、梱包窓穴７１の各側窓穴７１Ｂ，７１Ｃに延在される。押えシート５２は、梱包窓穴７１の各側窓穴縁７１Ｂ，７１Ｃに間隔を隔てて配置され、梱包窓穴３を覆う。
押えシート５２は、図４０及び図５２に示すように、積載平板部６１の裏面６１Ｙ、梱包窓穴７１及び上脚平板部７４の裏面７４Ｙを覆って配置され、積載平板部６１の裏面６１Ｙ及び上脚平板部７４の裏面７４Ｙに積層される。
これにより、押えシート５２は、上下方向Ｖ１において、梱包窓穴７１の上窓穴縁７１Ａ及び下窓穴縁７１Ｄの間に架渡され、梱包窓穴７１を覆う。押えシート５２は、左右方向Ｗ１において、各第２直線ＬＢ，ＬＢの間にて梱包窓穴７１を覆う。
【０１４３】
押えシート５２は、図４０及び図５２に示すように、上下方向Ｖ１において、上側シート端側５２Ａを上脚平板部７４の裏面７４Ｙに固定して配置される。押えシート５２は、上下方向Ｖ１において、下側シート端側５２Ｂを積載平板部６１の裏面６１Ｙに固定して配置される。
押えシート５２において、上側及び下側シート端側５２Ａ，５２Ｂは、左右方向Ｗ１にわたって、上脚平板部７４の裏面７４Ｙ、及び積載平板部６１の裏面６１Ｙに固定される。
【０１４４】
押えシート５２は、伸縮性（可撓性）を有するシート材（フィルム材）で形成される。押えシート５２は、例えば、ポリウレタン系熱可塑性樹脂を原料とする透明フィルムを使用する（フィルム厚さは、１０〜３００μｍ）。
押えシート５２において、例えば、ポリウレタン系熱可塑性樹脂を原料とする透明フィルムを使用すると、ヒートシール（熱圧着）により、上側及び下側シート端側５２Ａ，５２Ｂを上脚平板部７４の裏面７４Ｙ及び積載平板部６１の裏面６１Ｙに固着（固定）できる。
【０１４５】
このように、第２実施形態の梱包用緩衝材Ｘ２は、図３９に示すように、左右方向Ｗ１の中心線ｂに対して左右対称に形成される。
【０１４６】
＜物品の梱包＞
次に、梱包用緩衝材Ｘ２を組立てて、物品Ｚ（商品）を梱包する要領（組立て梱包方法）について、図５４乃至図６０を参照して説明する。
【０１４７】
先ず、展開した梱包用緩衝材Ｘ２において、物品Ｚ（商品）を積載平板部６１の表面６１Ｘ上に積載（載置）する（図５４参照）。物品Ｚは、図５４に示すように、積載平板部６１の表面６１Ｘに積載（載置）される。
【０１４８】
図５４及び図５５において、上平板５５を、各第７直線ＬＧ，ＬＧ、各第９直線ＬＭ，ＬＭ、及び各第１折曲切込直線ＬＡ１，ＬＡ１（第１直線ＬＡ）に沿って下平板５４の表面５４Ｘに折返す。
このとき、各第２立上げ平板部７２，７３は、図５４及び図５５に示すように、各第７直線ＬＧ，ＬＧ、各第９直線ＬＭ，ＬＭ、及び各第１折曲切込直線ＬＡ１，ＬＡ１（各第１直線ＬＡ，ＬＡ）に沿って各第１立上げ平板部６２，６３の表面６２Ｘ，６３Ｘに折返される。
また、上脚平板部７４は、図５４及び図５５に示すように、下脚平板部６４の表面６４Ｘに折返される。
これにより、上平板５５は、第１直線ＬＡ（各第１折曲切込直線ＬＡ１，ＬＡ１）を境（境界線）として下平板５４の表面５４Ｘに折返される。上平板５５は、第１直線ＬＡを境（境界線）として下平板５４の表面５４Ｘに重ねて配置される。
また、第２立上げ平板部７２，７３は、第１直線ＬＡ（各第１折曲切込直線ＬＡ１，ＬＡ１）を境（境界線）として各第１立上げ平板部６２，６３の表面６２Ｘ，６３Ｘに重ねて配置される。
更に、上脚平板部７４は、下脚平板部６４の表面６４Ｘに重ねて配置される。
【０１４９】
押えシート５２は、図５４及び図５７（ａ）に示すように、上平板５５の下平板５４の表面５４Ｘへの折返しにより、梱包窓穴７１の下窓穴縁７１Ｄに沿って積載平板６１の表面６１Ｘに折返される。
これにより、押えシート５２は、積載平板部６１上の物品Ｚ（商品）を被覆して、梱包窓穴７１の下窓穴縁７１Ｄに当接される。
押えシート５２は、左右方向Ｗ１にわたって、梱包窓穴７１の下窓穴縁７１Ｄ（下窓穴縁面）に当接（面接触）される。
押えシート５２は、梱包窓穴７１の下窓穴縁７１Ｄ（下窓穴縁面）を境（境界線／境界面）として、積載平板部６１の表面６１Ｘに重ねて配置される。
積載平板部６１上の物品Ｚは、上平板５５を下平板５４の表面５４Ｘに折返した状態において、押えシート５２で被覆されて、梱包窓穴７１の内側に配置（位置）される。
【０１５０】
各側脚平板部７５，７６は、図５４及び図５５に示すように、上平板５５を下平板５４に折返した状態において、各第１立上げ平板部６２，６３の前方に突出して配置される。
【０１５１】
上平板５５を下平板５４の表面５４Ｘに折返した状態において、下脚平板部６４は、図５６乃至図６０に示すように、第３直線ＬＣに沿って積載平板部６１の裏面６１Ｙ側に折曲げられて、積載平板部６１の裏面６１Ｙ側に立下げられる。
下脚平板部６４は、図５８に示すように、第３直線ＬＣから積載平板部６１の裏面６１Ｙ側に延在して配置される。
これにより、下脚平板部６４は、第３直線ＬＣを境（境界線）として積載平板部６１の裏面６１Ｙ側に立下げられる。
【０１５２】
係止平板部６５は、図５６乃至図５９、及び図６０に示すように、下脚平板部６４の立下げにより、下脚平板部６４から離されて、立下げた下脚平板部６４（第３直線ＬＣ）の前方に突出して配置される。
【０１５３】
上平板５５を下平板５４の表面５４Ｘに折返した状態において、上脚平板部７４は、図５５に示すように、下平板５４に向けて押付けられ、梱包窓穴７１の上窓穴縁７１Ａを積載平板部６１上に配置する。
これにより、梱包窓穴７１の上窓穴縁７１Ａは、立下げた下脚平板部６４（第３直線ＬＣ）より前方に配置される。
【０１５４】
続いて、上脚平板部７４は、図５５乃至図５８、及び図６０に示すように、梱包窓穴７１の上窓穴縁７１Ａに沿って積載平板部６１の裏面６１Ｙ側に折曲げられて、積載平板部６１の裏面６１Ｙ側に立下げられる。
上脚平板部７４は、図５８に示すように、梱包窓穴７１の上窓穴縁７１Ａから積載平板部６１の裏面６１Ｙ側に延在して配置され、及び立下げた下脚平板部６４の表面６４Ｘに当接して平行配置（並設）される。
これにより、上脚平板部７４は、梱包窓穴７１の上窓穴７１Ａを境（境界線／境界面）として積載平板部６１の裏面６１Ｙ側に立下げられる。
【０１５５】
係止穴溝７７は、図５６乃至図５８、及び図６０に示すように、上脚平板部７４の立下げにより、係止平板部６５の裏面６５Ｙ側に配置される。係止穴溝７７内には、上上脚平板部７４の立下げ状態において、係止平板部６５を圧入する。
【０１５６】
上脚平板部７４を積載平板部６１の裏面６１Ｙ側に立下げた状態において、押えシート５２は、図５６乃至図５８、及び図６０に示すように、係止穴溝７７内の係止平板部６５の前板縁６５Ａ（前板縁面）に当接（面接触）され、上脚平板部７４と共に、積載平板部６１の裏面６１Ｙ側に折返えされる。
これにより、押えシート５２は、図５７及び図５８に示すように、梱包窓穴７１の下窓穴縁７１Ｄ（下窓穴縁面）、及び係止平板部６５の前板縁６５Ａ（前板縁面）に面接触しつつ、積載平板部６１の裏面６１Ｙ側に引張られて緊張し、積載平板部６１上の物品Ｚ（商品）を積載平板部６１に押付けて定着する。
【０１５７】
上平板５５を下平板５４の表面５４Ｘに折返した状態において、各側脚平板部７５，７６は、図５６乃至図６０に示すように、各第４直線ＬＥ，ＬＥ及び各第５直線ＬＦ，ＬＦに沿って、第１立上げ平板部６２，６３の裏面６２Ｙ，６３Ｙに折返えされ、各第１立上げ平板部６２，６３の裏面６２Ｙ，６３Ｙに平行配置される。
側脚平板部７５（右側・側脚平板部）は、側板縁５１Ｃの上側板縁５１Ｅに交差する第５及び第６直線ＬＥ，ＬＦに沿って第１立上げ平板部６２（右側・第１立上げ平板部）の裏面６２Ｙに折返えされ、第１立上げ平板部６２の裏面６２Ｙに平行として起立（立設）される。これにより、側脚平板部７５は、側板縁５１Ｃ側の折曲平板部８１を境（境界領域）として、第１立上げ平板部６２の裏面６２Ｙに重ねて配置される。
側平板部７６（左側・側脚平板部）は、側板縁５１Ｄの上側板縁５１Ｅに交差する第５及び第６直線ＬＥ，ＬＦに沿って第１立上げ平板部６３（左側・第１立上げ平板部）の裏面６３Ｙに折返されて、第１立上げ平板部６３の裏面６３Ｙに平行として起立（立設）される。これにより、側脚平板部７６は、側板縁５１Ｄ側の折曲平板部８２を境（境界領域）として第１立上げ平板部６３の裏面６３Ｙに重ねて配置される。
【０１５８】
また、各側平板部７５，７６は、図５６、図５７、図５９及び図６０に示すように、各第５直線ＬＥ，ＬＥ及び各第６直線ＬＦ，ＬＦの折返しと共に、各第４直線ＬＤ，ＬＤに沿って、積載平板部６１の表面６１Ｘ側に立上げられ及び積載平板部６１の裏面６１Ｙ側に立下げられる。
このとき、各脚平板部７５，７６は、図５６及び図５７に示すように、積載平板部６１の裏面６１Ｘ（裏面６１Ｙ）に直交する方向Ｇにおいて、積載平板部６１の表面６１Ｘ及び裏面６１Ｙの夫々から延在され、積載平板部６１の表面６１Ｙ側及び裏面６１Ｙ側にわたって起立（立設）される。
側脚平板部７５（右側・側脚平板部）は、側板縁５１Ｃに隣設する第４直線ＬＤに沿って、積載平板部６１の表面６１Ｘ側に立上げられ及び積載平板部６１の裏面６１Ｙ側に立下げられる。これにより、側脚平板部７５は、側板縁５１Ｃに隣設する第４直線ＬＤを境（境界線）として、積載平板部６１の表面６１Ｘ側及び裏面６１Ｙ側にわたって起立（立設）される。
側脚平板部７６（左側・側脚平板部）は、側板縁５１Ｄに隣設する第４直線ＬＤに沿って、積載平板部６１の表面６１Ｘ側に立上げられ及び積載平板部６１の裏面６１Ｙ側に立下げられる。これにより、側脚平板部７６は、側板縁５１Ｄに隣設する第４直線ＬＤを境（境界線）として、積載平板部６１の表面６１Ｘ側及び裏面６１Ｙ側にわたって起立（立設）される。
【０１５９】
上平板５５を下平板５４の表面５４Ｘに折返した状態において、各第１立上げ平板部６２，６３は、図５６、図５７及び図５９に示すように、各側脚平板部７５，７６の立上げ及び立下げと共に、各第２直線ＬＢ，ＬＢに沿って積載平板部６１の表面６１Ｘ側に立上げられる。
第１立上げ平板部６２（右側・第1立上げ平板部）は、側板縁５１Ｃの上側板縁５１Ｅに隣設する第２直線ＬＢに沿って、積載平板部６１の表面６１Ｘ側に起立（立設）される。これにより、第１立上げ平板部６２は、側板縁５１Ｃの上側板縁５１Ｅに隣設する第２直線ＬＢを境（境界線）として、立上げ及び立下げた側脚平板部７５（右側・側脚平板部）に平行し、及び重ねて配置される。
第１立上げ平板部６３（左側・第1立上げ平板部）は、側板縁５１Ｄの上側板縁５１Ｅに隣設する第２直線ＬＢに沿って、積載平板部６１の表面６１Ｘ側に起立（立設）される。これにより、第１立上げ平板部６３（左側・第１立上げ平板部）は、側板縁５１Ｄの上側板縁５１Ｅに隣設する第２直線ＬＢを境（境界線）として、立上げた側脚平板部７６（左側・側脚平板部）に平行し、及び重ねて配置される。
【０１６０】
上平板５５を下平板５４の表面５４Ｘに折返した状態において、各第２立上げ平板部７２，７３は、図５６、図５７及び図５９に示すように、各側脚平板部７５，７６の立上げ及び立上げ、各第１立上げ平板部６２，６３の立上げと共に、各第２直線ＬＢ，ＬＢに沿って、積載平板部６１の表面６１Ｘ側に立上げられる。
第２立上げ平板部７２（右側・第２立上げ平板部）は、側板縁５１Ｃの上側板縁５１Ｅに隣設する第２直線ＬＢに沿って、積載平板部６１の表面６１Ｘ側に起立（立設）される。これにより、第２立上げ平板部７２は、側板縁５１Ｃの上側板縁５１Ｅに隣設する第２直線ＬＢを境（境界線）として第１立上げ平板部６２（右側・第１立上げ平板部）に平行し、及び重ねて配置される。
第２立上げ平板部７３（左側・第２立上げ平板部）は、側板縁５１Ｄの上側板縁５１Ｅに隣設する第２直線ＬＢに沿って、積載平板部６１の表面６１Ｘ側に起立（立設）される。これにより、第２立上げ平板部７３は、側板縁５１Ｄの上側板縁５１Ｅに隣設する第２直線ＬＢを境（境界線）として第１立上げ平板部６３（左側・第２立上げ平板部）に平行し、及び重ねて配置される。
【０１６１】
各第１立上げ平板部６２，６３、及び各第２立上げ平板部７２，７３は、例えば、積載平板部６１の表面６１Ｙに直交して立上げられる。各側脚平板部７５，７６は、例えば、積載平板部６１の表面６１Ｙに直交して立上げられ、及び積載平板部６１の裏面６１Ｙに直交して立下げられる。
【０１６２】
側脚平板部７５、第１立上げ平板部６２及び第２立上げ平板部７２（右側）は、積載平板部６１の表面６１Ｘ側の立上げにより、積載平板部６１側から第２立上げ平板部７２、第１立上げ平板部６２及び側脚平板部７５の順に並設される。右側・第１立上げ平板部６２は、第５及び第６直線ＬＥ，ＬＦの間（折曲平板部８１）に位置して、第２立上げ平板部７２及び側脚平板部７５で挟まれる。
側脚平板部７６、第１立上げ平板部６３及び第２立上げ平板部７３（左側）は、積載平板部６１の表面６１Ｘ側の立上げにより、積載平板部６１側から第２立上げ平板部７３、第１立上げ平板部６３及び側脚平板部７６の順に並設され、側脚平板部７５、第１立上げ平板部６２及び第２立上げ平板部７２（右側）に対向して配置される。右側・第１立上げ平板部６３は、第５及び第６直線ＬＥ，ＬＦの間（折曲平板部８２）に位置して、第２立上げ平板部７３及び側脚平板部７６で挟まれる。
【０１６３】
各側脚平板部７５，７６を立上げた状態において、各折曲平板部８１，８２は、積載平板部６１の表面６１Ｘに第１鋭角度θ１をなして配置される。
各第１立上げ平板部６２，６３及び第２立上げ平板部７２，７３を立上げた状態において、各第２下側板縁部５１Ｈ，５１Ｈ、及び各上側板縁部５１Ｉ，５１Ｉは、積載平板部６１の表面６１Ｘに第１鋭角度θ１をなして配置される。
【０１６４】
各第１折込平板部８３，８４は、図５７に示すように、各第８直線ＬＩ，ＬＩ、及び各第１折曲切込直線ＬＡ１，ＬＡ１に沿って、立上げた各第１立上げ平板部６２，６３、及び立上げた各第２立上げ直線７２，７３の間に折込まれて配置される。
各第２折込平板部８５，８６は、図５７に示すように、各第１０直線ＬＮ，ＬＮ、及び第１折曲切込直線ｌＡ１，ＬＡ１に沿って、立上げた各第１立上げ平板部６２，６３、及び立上げた各第２立上げ平板部７２，７３の間に折込まれて配置される。
これにより、梱包用緩衝材Ｙ１は、物品Ｚ（商品）を梱包して組立てられる。
【０１６５】
物品Ｚ（商品）を梱包して組立てられた梱包用緩衝材Ｙ１（以下、「組立て梱包した梱包用緩衝材Ｙ１」という）は、運送（運搬）する際に、図６１に示すように、直方体の梱包箱Ｂ内に収納される。
組立て梱包した梱包用緩衝材Ｙ１は、図６１乃至図６３に示すように、積載平板部６の裏面６Ｙ側から梱包箱Ｂに収納される。
組立て梱包した梱包用緩衝材Ｙ１は、図６３に示すように、下脚平板部６３（基礎平板体５１）の下板縁５１Ｂ、上脚平板部７４（基礎平板体５１）の第１上板縁部５１Ｊ（上板縁５１Ａ）、及び各側平板部７５，７６（基礎平板体５１）の各第２上板縁部５１Ｋ，５１Ｋを梱包箱Ｂの底平板２５に当接して、梱包箱Ｂ内に収納される。また、組立て梱包した梱包用緩衝材Ｙ１は、図６３に示すように、梱包窓穴７１の下板縁７１Ｄ側において、積載平板部６1の裏面６１Yを梱包箱Ｂの底平板に当接して、梱包箱Ｂ内に収納される。
続いて、組立て梱包した梱包用緩衝材Ｙ１を収納した梱包箱Ｂは、梱包箱Ｂの蓋平板２７を閉じ、及び蓋平板２７を、立上げた各第１及び各第２立上げ平板部６２，６３，７２，７３に当接して運送する。
【０１６６】
第２実施形態の梱包用緩衝材Ｙ１において、図６３及び図６４に示すように、組立て梱包した梱包用緩衝材Ｙ１は、各側脚平板部７５，７６の第２上板縁部５１Ｋ，５１Ｋを水平面ＨＺ（梱包箱Ｂの底平板２５）に当接し、及び梱包窓穴７１の下窓穴縁７１Ｄ側に位置する積載平板部６１の裏面６１Ｙを水平面ＨＺ（梱包箱Ｂの底平板２５）に当接して載置される。
組立て梱包した梱包用緩衝材Ｙ１において、積載平板部６１は、図６４に示すように、第２下側板縁部５１Ｈ（上側板縁部５１Ｉ）に第１鋭角度θ１［例えば、θ１＝４５度（４５°）］をなして傾斜される。組立て梱包した梱包用緩衝材Ｙ１において、積載平板部６１及び第２下側板縁部５１Ｈの間の角度は、第１鋭角度θ１（例えば、θ１＝４５度）となる。
組立て梱包した梱包用緩衝材Ｙ１において、立上げた下脚平板部６４（上脚平板部７４）は、図６４に示すように、第２下側板縁部５１Ｈに第１鋭角度θで傾斜する積載平板部６１に直交する。組立て梱包した梱包用緩衝材Ｙ１において、積載平板部６１及び下脚平板部６４（上脚平板部７４）の間の角度θ３は、θ３＝９０度である。
組立て梱包した梱包用緩衝材Ｙ１において、下脚平板部６４は、図６４に示すように、水平面ＨＺの垂線δに第２鋭角度θ２をなして傾斜される。
第２鋭角度θ２は、組立て梱包した梱包用緩衝材Ｙ１を基準として設定され、図６４を参照して説明する。
【０１６７】
第１鋭角度θ１：定数値（例えば、θ１＝４５度）
角度θ３：定数値（例えば、θ３＝９０度）
水平面ＨＺに平行する水平方向において、包窓穴７１の下窓穴縁７１Ｄ及び下脚平板部６４の間の水平距離Ｄ１：定数値
水平面ＨＺに直交する垂直方向において、水平面ＨＺ及び第３直線ＬＤの間の垂直距離Ｈ２：定数値
第２鋭角度θ２をなして傾斜する下脚平板部の板長Ｈ３：変数値
水平距離Ｈ２、下脚平板部の板長Ｈ３及び第２鋭角度θ２でなる三角形ＴＡの底辺長Ｘ：変数値
とする。
なお、垂直距離Ｈ２は、図６４に示すように、積載平板部６１及び下脚平板部６４の交点ＱＷとすると、垂直方向において、交点ＱＷ及び水平面ＨＺの間の距離である。
三角形ＴＡにおいて、底辺長Ｘは、水平距離Ｄ１及び垂直距離Ｈ２とすると、式（１）から算出する。
【０１６８】
【数１】
2018076086.tif 000003
【０１６９】
第２鋭角度θ２は、三角形ＴＡの底辺長Ｘ、及び垂直距離Ｈ２とすると、式（２）から算出する。
【０１７０】
【数２】
2018076086.tif 000004
【０１７１】
式（１）及び式（２）から算出された第２鋭角度θ２、水平距離Ｄ１及び垂直距離Ｈ２を用いて、下脚平板部６４の板長Ｈ３（図５１の第５間隔ＰＥ）、積載平板部６１の板長（図５１の第４間隔ＰＤ）等を設定する。
このように、組立て梱包した梱包用緩衝材Ｙ１において、図６４に示すように、第１鋭角度θ１、角度θ３、水平距離Ｄ１及び垂直距離Ｈ２を定数値として予め設定し、これら定数値、式（１）及び式（２）により、第２鋭角度θ２を設定する。そして、式（１）及び式（２）から算出した第２鋭角度θ２に基づき、脚平板部６４の板長Ｈ３（図５１の第５間隔ＰＥ）、積載平安部６１の板長（図５１の第４間隔ＰＤ）等を設定する。
具体例として、第１鋭角度θ１＝４５度（４５°）、角度θ３＝９０度（９０°）、水平距離Ｄ１＝１８８ｍｍ、及び垂直距離Ｈ２＝４０ｍｍの定数値に設定し、これら定数値を式（１）に代入すると、三角底長Ｘは、Ｘ＝８，９４ｍｍとなる。三角底長Ｘ＝８．９４ｍｍ及び垂直距離Ｈ２＝４０、０ｍｍを式（２）に代入すると、第２鋭角度θ２＝１２．６０度（１２．６０°）となる。
そして、第２鋭角度θ２＝１２．６０度（１２、６０°）から、図６４に示すように、下脚平板部６４の板長Ｈ３、及び積載平板部６１の板長を設定する。
組立て梱包した梱包用緩衝材Ｙ１は、図６３に示すように、立下げた下脚平板部６４において、基礎平板体５１の下板縁５１Ｂを梱包箱Ｂの底平板２５に当接し、立下げた上脚平板部７４においいて、基礎平板体５１の第１上板縁部５１Ｊを梱包箱Ｂの底平板２５に当接し、立上げ及び立下げた各側脚平板部７５,７６において、基礎平板体５１の各第２上板縁部５１Ｋ,５１Ｋを当接することにより、各脚平板部６４,７４,７５,７６は、運送中（運搬中）の振動を吸収して、緩衝機能を発揮する。
また、組立て梱包した梱包用緩衝材Ｙ１では、図６３に示すように、積載平板部６１及び積載平板部６１に積載した物品Ｚを梱包箱Ｂの底平板２５に対して傾斜させて梱包箱Ｂに収納されるので、梱包箱Ｂの蓋平板２７を開いた状態において、物品の視認性を高めることも可能となる。
【０１７２】
第３実施形態の梱包用緩衝材Ｙ１において、梱包用窓穴７１の下窓穴縁７１Ｄは、上下方向Ｖ１において、第１直線ＬＡより上板縁５１Ａ側に配置する構成に限定されない。梱包窓穴７１の下窓穴縁７１Ｄは、図１及び図２０で説明したと同様に、第１直線ＬＡ上に沿って配置しても良く、上下方向Ｖ１において、第１直線ＬＡより基礎平板体５１の下板縁５１Ａ側に配置しても良い。
【０１７３】
＜第４実施形態＞
第４実施形態の梱包用緩衝材Ｙ２について、図６５乃至図８１を参照して説明する。
なお、図６５乃至図８１において、図３９乃至図６４と同一符号は、同一部材、同一構成であるので、その詳細な説明は省略する。
なお、説明の便宜上、先ず、組立前の展開した第４実施形態の梱包用緩衝材Ｙ２について説明し、次に、第４実施形態の梱包用緩衝材Ｙ２を組立てて物品（商品）を梱包する要領（組立て梱包方法）について、説明する。
【０１７４】
図６５乃至図７０において、第４実施形態の梱包用緩衝材Ｙ２（以下、「梱包用緩衝材Ｙ２」という）は、基礎平板体５１、押えシート２、及び補強平板９１を備える。
【０１７５】
梱包用緩衝材Ｙ２において、基礎平板５１は、図３９乃至図５３で説明したと同様に、上板縁５１Ａ（上板縁面）、下板縁５１Ｂ（下板縁面）、及び左右一対の側板縁５１Ｃ，５１Ｄ（側板縁面）を有する。
梱包用緩衝材Ｙ２において、基礎平板体５１は、図３９乃至図５３で説明したと同様に、第１直線ＬＡ及び一対の第２直線ＬＢ，ＬＢを有し、下平板５４及び上平板５５とで構成される。
梱包用緩衝材Ｙ２において、下平板５４は、図３９乃至図５３で説明したと同様に、第３直線ＬＣを有し、積載平板部６１、一対の第１立上げ平板部６２，６３、下脚平板部６４、及び係止平板部６５とで構成される。
梱包用緩衝材Ｙ２において、上平板５５は、図３９乃至図５３で説明したと同様に、第４乃至第６直線ＬＤ，ＬＥ，ＬＦ等を有し、梱包窓穴７１、一対の第２立上げ平板部７２，７３、上脚平板部７４、及び一対の側脚平板部７５，７６とで構成される。
【０１７６】
＜梱包窓穴７１＞
梱包窓穴７１は、図３９乃至図５３で説明したと同様に、上窓穴縁７１Ａ、各側窓穴縁７１Ｂ，７１Ｃ及び下窓穴縁７１Ｄを有する。
梱包窓穴７１において、下窓穴縁７１Ｄは、図６５、図６６、図６８及び図６９に示すように、第１下窓穴縁部７１ｄ、及び一対の第２下窓穴縁７１ｅ，７１ｅを有する。
【０１７７】
第１下窓穴縁７１ｄは、図６９に示すように、上下方向Ｖ１において、第１直線ＬＡに第１４間隔ＰＮ（第１４距離）を隔てて基礎平板体５１の下板縁５１Ｂ（第１上板縁部５１Ｊ、第１直線ＬＡ）に平行配置される。第１下窓穴縁７１ｄは、左右方向Ｗ１において、梱包窓穴７１の各側窓穴縁７１Ｂ，７１Ｃの間に延在される。第１下窓穴縁７１ｄは、図６９に示すように、左右方向Ｗ１において、梱包窓穴７１の各側窓穴７１Ｂ，７１Ｃに第１５間隔ＰＯ（第１５距離）を隔てて配置される。
【０１７８】
各第２下窓穴縁７１ｅ，７１ｅは、図６９に示すように、左右方向Ｗ１において、第１下窓穴縁７１ｄの各縁端に連続して配置される。各第２下窓穴縁部７１ｅ，７１ｅは、第１下窓穴縁７１ｄの各縁端から各側窓穴７１Ｂ，７１Ｄ及び第１直線ＬＡに向けて傾斜して延在され、梱包窓穴７１の各側窓穴縁７１Ｂ，７１Ｃ及び第１直線ＬＡに交差する。
【０１７９】
＜補強平板９１＞
補強平板９１は、図６５乃至図７０に示すように、梱包窓穴７１の内側に配置され、所定の板厚Ｔ１を有する。
補強平板９１は、梱包窓穴７１の下窓穴縁７１Ｄにおいて、第１下窓穴縁部７１ｄ上の直線ＬＫ（第１１直線）に沿って、積載平板部６１に連設される。
補強平板９１は、図６６及び図６８に示すように、例えば、長方形の平板に形成され、補強上板縁９１Ａ（補強上板縁面）、及び左右一対の補強側板縁９１Ｂ，９１Ｃを有する。補強平板９１は、左右方向Ｗ１において、梱包窓穴７１の各側窓穴縁７１Ｂ，７１Ｃに第１５間隔ＰＯ（第１４距離）を隔てて配置される。補強平板９１において、各補強側板縁９１Ｂ，９１Ｃは、図６８に示すように、梱包窓穴７１の各側窓穴縁７１Ｂ，７１Ｃに第１５間隔ＰＯを隔てて平行配置される。
補強平板９１は、図６８に示すように、上下方向Ｖ１において、直線ＬＫ（第１０直線）に第１６間隔ＰＱ（第１６距離）を隔てて配置される。補強平板９１において、補強上板縁９１Ａは、上下方向Ｖ１において、直線ＬＫ（第１０直線）に第１６間隔ＰＱを隔てて平行配置される。
補強平板９１は、例えば、補強上板縁９１Ａを梱包窓穴７１の上窓穴縁７１Ａに当接して、梱包窓穴７１の内側に配置される。
これにより、補強平板９１は、図６８に示すように、上下方向Ｖ１において、第１６間隔ＰＱの板長Ｓ３を有する。補強平板９１の板長Ｓ３は、上下方向Ｖ１において、直線ＬＫ（第１１直線）及び補強上板縁９１Ａの間の長さである。
【０１８０】
補強平板９１の板長Ｓ２は、図６８に示すように、例えば、積載平板部６１の板長Ｓ４と同一の板長を有する（Ｓ３＝Ｓ４）。
これにより、補強平板９１、及び積載平板部６１は、上下方向Ｖ１において、直線ＬＫ（第１１直線）及び補強上板縁９１Ａの間隔と、直線ＬＫ（第１１直線）及び第３直線ＬＣの間の間隔を同一間隔（第１６間隔ＰＱ）とする。
【０１８１】
補強平板９１は、図６５乃至図６８、及び図７０に示すように、係止平板部９５（上側・係止平板部）を有する。
【０１８２】
係止平板部９５は、図７０に示すように、補強平板９１の補強上板縁９１Ａに沿って補強平板９１に連設される。係止平板部９５は、上下方向Ｖ１において、補強平板９１から基礎平板体５１の上板縁５１Ａ側（第１上板縁部５１Ｊ側）に突出され、左右方向Ｗ１において、梱包窓穴７１の各側窓穴縁７１Ｂ，７１Ｃの間に延在して形成される。
【０１８３】
係止平板部９１は、図７０に示すように、補強上板縁９１Ａ、一対の第４切込直線ＬＸ，ＬＸ及び第５切込直線ＬＹとで四角形に区画される。
【０１８４】
各第４切込直線ＬＸ，ＬＸは、図７０に示すように、左右方向Ｗ１において、基礎平板体５１の中心線ｂの両側に配置される。各第４切込直線ＬＸ，ＬＸは、左右方向Ｗ１において、基礎平板体５１の中心線ｂに第１２間隔ＰＬ（第１２距離）を隔てて平行配置される。各第４切込直線ＬＸ，ＬＸは、上下方向Ｖ１において、補強平板９１の補強上板縁９１Ａに直交して、補強上板縁９１Ａ及び基礎平板体５１の上板縁５１Ａの間に延在される。各第４切込直線ＬＸ，ＬＸは、上下方向Ｖ１において、補強平板９１の補強上板縁９１Ａから基礎平板体５１の上板縁５１Ａ（第１上板縁部５１Ｊ）に至る途中まで延在される。
【０１８５】
第５切込直線ＬＹ，ＬＹは、図７０に示すように、上下方向Ｖ１において、補強平板９１の補強上板縁９１Ａに第１３間隔ＰＭ（第１３距離）を隔てて平行配置される。第５切込直線ＬＹは、左右方向Ｗ１において、第４切込直線ＬＸ，ＬＸの間に延在され、各第４切込直線ＬＸ，ＬＸに交差する。
【０１８６】
各第４切込直線ＬＸ，ＬＸ、及び第５切込直線ＬＹは、基礎平板体５１の板厚方向Ｕ１において、基礎平板５１を貫通して切込まれ、基礎平板体５１の表面５１Ｘ及び裏面５１Ｙに開口される。
これにより、係止平板部９５は、各第４切込直線ＬＸ，ＬＸ、及び第５切込直線ＬYに沿って上脚平板部７４から切離され、上下方向Ｖ１において、補強上板縁９１Ａに沿って補強平板９１に連接される。
また、係止穴溝７７は、各第４切込直線ＬＸ，ＬＸ及び第５切込直線ＬＸに沿って、上脚平板部７４に形成される。
【０１８７】
＜押えシート５２＞
押えシート５２は、図６６及び図６７に示すように、梱包窓穴７１の内側において、補強平板９１Ｙ仁当接して配置される。
【０１８８】
＜物品の梱包＞
次に、梱包用緩衝材Ｙ２を組立てて、物品Ｚ（商品）を梱包する要領（組立て梱包方法）について、図７１乃至図７８を参照して説明する。
【０１８９】
先ず、展開した梱包用緩衝材Ｘ２において、補強平板９１を直線ＬＫ（第１１折曲直線）に沿って積載平板部６１の表面６１Ｘ（下平板５４の裏面５４Ｘ）に折返す（図７１及び図７２参照）。
これにより、補強平板９１は、直線ＬＫを境（境界線）として積載平板部６１の表面６１Ｘに重ねて配置される。
補強平板９１において、補強上板縁９１Ａは、図７２に示すように、第３直線ＬＣに面一に配置される。
このとき、係止平板部９５（上側・係止平板部）は、積載平板部６１の係止平板部６５（下側・係止平板部）の表面６５Ｘに重ねて配置される。
【０１９０】
補強平板９１を積載平板部６１の表面６１Ｘに折返した状態において、物品Ｚ（商品）を補強平板９１の裏面９１Ｙ上に積載（載置）する（図７２参照）。物品Ｚは、図７２に示すように、補強平板９１の裏面９１Ｙに積載（載置）される。
【０１９１】
続いて、図７２及び図７３において、上平板５５を、各第７直線ＬＧ，ＬＧ、各第９直線ＬＭ，ＬＭ、及び各第１折曲切込直線ＬＡ１，ＬＡ１（第１直線ＬＡ）に沿って下平板５４の表面５４Ｘに折返す。
このとき、各第２立上げ平板部７２，７３は、図７２及び図７３に示すように、各第７直線ＬＧ，ＬＧ、各第９直線ＬＭ，ＬＭ、及び各第１折曲切込直線ＬＡ１，ＬＡ１（各第１直線ＬＡ，ＬＡ）に沿って各第１立上げ平板部６２，６３の表面６２Ｘ，６３Ｘに折返される。
また、上脚平板部７４は、図７２及び図７３に示すように、下脚平板部６４の表面６４Ｘに折返される。
これにより、上平板５５は、第１直線ＬＡ（各第１折曲切込直線ＬＡ１，ＬＡ１）を境（境界線）として下平板５４の表面５４Ｘに折返される。上平板５５は、第１直線ＬＡを境（境界線）として下平板５４の表面５４Ｘに重ねて配置される。
また、第２立上げ平板部７２，７３は、第１直線ＬＡ（各第１折曲切込直線ＬＡ１，ＬＡ１）を境（境界線）として各第１立上げ平板部６２，６３の表面６２Ｘ，６３Ｘに重ねて配置される。
更に、上脚平板部７４は、下脚平板部６４の表面６４Ｘに重ねて配置される。
【０１９２】
押えシート５２は、図７３及び図７６（ａ）に示すように、上平板５５の下平板５４の表面５４Ｘへの折返しにより、直線ＬＫ（第１１折曲直線）に沿って積載平板６１の表面６１Ｘに折返される。
これにより、押えシート５２は、積載平板部６１上の物品Ｚ（商品）を被覆して、直線Ｌｋに当接される。
押えシート５２は、左右方向Ｗ１にわたって、直線ＬＫに当接（面接触）される。
押さシート５２は、直線ＬＫを境（境界線）として、積載平板部６１の表面６１Ｘに重ねて配置される。
積載平板部６１上の物品Ｚは、上平板５５を下平板５４の裏面５４Ｘに折返した状態において、押えシート５２で被覆されて、梱包窓穴７１の内側に配置（位置）される。
【０１９３】
各側脚平板部７５，７６は、図７２及び図７３に示すように、上平板５５を下平板５４に折返した状態において、各第１立上げ平板部６２，６３の前方に突出して配置される。
【０１９４】
上平板５５を下平板５４の裏面５４Ｘに折返した状態において、下脚平板部６４は、図７４乃至図７８０に示すように、第３直線ＬＣに沿って積載平板部６１の裏面６１Ｙ側に折曲げられて、積載平板部６１の裏面６１Ｙ側に立下げられる。
下脚平板部６４は、図７６及び図７７に示すように、第３直線ＬＣから積載平板部６１の裏面６１Ｙ側に延在して配置される。
これにより、下脚平板部６４は、第３直線ＬＣを境（境界線）として積載平板部６１の裏面６１Ｙ側に立下げられる。
【０１９５】
係止平板部６５は、図７４乃至図７６、及び図７８に示すように、下脚平板部６４の立下げにより、下脚平板部６４から離されて、立下げた下脚平板部６４（第３直線ＬＣ）の前方に突出して配置される。
【０１９６】
上平板５５を下平板５４の表面５４Ｘに折返した状態において、上脚平板部７４は、図７３に示すように、下平板５４に向けて押付けられ、梱包窓穴７１の上窓穴縁７１Ａを補強平板９１の補強上板縁９１Ａ上に配置する。
これにより、梱包窓穴７１の上窓穴縁７１Ａは、立下げた下脚平板部６４（第３直線ＬＣ）より前方に配置される。
【０１９７】
続いて、上脚平板部７４は、図７４乃至図７６、及び図７８に示すように、梱包窓穴７１の上窓穴縁７１Ａに沿って積載平板部６１の裏面６１Ｙ側に折曲げられて、積載平板部６１の裏面６１Ｙ側に立下げられる。
上脚平板部７４は、図７６に示すように、梱包窓穴７１の上窓穴縁７１Ａから積載平板部６１の裏面６１Ｙ側に延在して配置され、及び折返した下脚平板部６４の表面６４Ｘに当接して平行配置（並設）される。
これにより、上脚平板部７４は、梱包窓穴７１の上窓穴７１Ａを境（境界線／境界面）として積載平板部６１の裏面６１Ｙ側に立下げられる。
【０１９８】
係止穴溝７７は、図７４乃至図７６、及び図７８に示すように、上脚平板部７４の折返しにより、係止平板部６５の裏面６５Ｙ側に配置される。係止穴溝７７内には、上脚平板部７４の立下げ状態において、係止平板部６５（下側・係止平板部）及び係止平板部９５（上側・係止平板部）を圧入する。
【０１９９】
上脚平板部７４を積載平板部６１の裏面６１Ｙ側に立下げた状態において、押えシート５２は、図７４乃至図７６、及び図７８に示すように、係止穴溝７７内の係止平板部６５の前板縁６５Ａ（前板縁面）及び係止平板部９５の前板縁９５Ａ（前板縁面）に当接（面接触）され、上脚平板部７４と共に、積載平板部６１の裏面６１Ｙ側に折返えされる。
これにより、押えシート５２は、図７４及び図７６に示すように、直線ＬＫ、係止平板部６５の前板縁６５Ａ（前板縁面）及び係止平板部９５の前板縁９５Ａ（前板縁面）に面接触しつつ、積載平板部６１の裏面６１Ｙ側に引張られて緊張し、積載平板部６１上の物品Ｚ（商品）を積載平板部６１に押付けて定着する。
【０２００】
上平板５５を下平板５４の表面５４Ｘに折返した状態において、各側脚平板部７５，７６は、図７４乃至図７８に示すように、各第４直線ＬＥ，ＬＥ及び各第５直線ＬＦ，ＬＦに沿って、第１立上げ平板部６２，６３の裏面６２Ｙ，６３Ｙに折返えされ、各第１立上げ平板部６２，６３の裏面６２Ｙ，６３Ｙに平行配置される。
側脚平板部７５（右側・側脚平板部）は、側板縁５１Ｃの上側板縁５１Ｅに交差する第５及び第６直線ＬＥ，ＬＦに沿って第１立上げ平板部６２（右側・第１立上げ平板部）の裏面６２Ｙに折返えされ、第１立上げ平板部６２の裏面６２Ｙに平行として起立（立設）される。これにより、側脚平板部７５は、側板縁５１Ｃ側の折曲平板部８１を境（境界領域）として、第１立上げ平板部６２の裏面６２Ｙに重ねて配置される。
側平板部７６（左側・側脚平板部）は、側板縁５１Ｄの上側板縁５１Ｅに交差する第５及び第６直線ＬＥ，ＬＦに沿って第１立上げ平板部６３（左側・第１立上げ平板部）の裏面６３Ｙに折返されて、第１立上げ平板部６３の裏面６３Ｙに平行として起立（立設）される。これにより、側脚平板部７６は、側板縁５１Ｄ側の折曲平板部８２を境（境界領域）として第１立上げ平板部６３の裏面６３Ｙに重ねて配置される。
【０２０１】
また、各側平板部７５，７６は、図７４、図７５、図７７及び図７８に示すように、各第５直線ＬＥ，ＬＥ及び各第６直線ＬＦ，ＬＦの折返しと共に、各第４直線ＬＤ，ＬＤに沿って、積載平板部６１の表面６１Ｘ側に立上げられ及び積載平板部６１の裏面６１Ｙ側に立下げられる。
このとき、各脚平板部７５，７６は、図７４及び図７５に示すように、積載平板部６１の裏面６１Ｘ（裏面６１Ｙ）に直交する方向Ｇにおいて、積載平板部６１の表面６１Ｘ及び裏面６１Ｙの夫々から延在され、積載平板部６１の表面６１Ｙ側及び裏面６１Ｙ側にわたって起立（立設）される。
側脚平板部７５（右側・側脚平板部）は、側板縁５１Ｃに隣設する第４直線ＬＤに沿って、積載平板部６１の表面６１Ｘ側に立上げられ及び積載平板部６１の裏面６１Ｙ側に立下げられる。これにより、側脚平板部７５は、側板縁５１Ｃに隣設する第４直線ＬＤを境（境界線）として、積載平板部６１の表面６１Ｘ側及び裏面６１Ｙ側に起立（立設）される。
側脚平板部７６（左側・側脚平板部）は、側板縁５１Ｄに隣設する第４直線ＬＤに沿って、積載平板部６１の表面６１Ｘ側に立ち上げられ及び積載平板部６１の裏面６１Ｙ側に立下げられる。これにより、側脚平板部７６は、側板縁５１Ｄに隣設する第４直線ＬＤを境（境界線）として、積載平板部６１の表面６１Ｘ側及び裏面６１Ｙ側にわたって起立（立設）される。
【０２０２】
上平板５５を下平板５４の表面５４Ｘに折返した状態において、各第１立上げ平板部６２，６３は、図７４、図７７及び図７８に示すように、各側脚平板部７５，７６の立上げと共に、各第２直線ＬＢ，ＬＢに沿って積載平板部６１の表面６１Ｘ側に立上げられる。
第１立上げ平板部６２（右側・第1立上げ平板部）は、側板縁５１Ｃの上側板縁５１Ｅに隣設する第２直線ＬＢに沿って、積載平板部６１の表面６１Ｘ側に起立（立設）される。    
これにより、第１立上げ平板部６２は、側板縁５１Ｃの上側板縁５１Ｅに隣設する第２直線ＬＢを境（境界線）として、立上げ及び立下げた側脚平板部７５（右側・側脚平板部）に平行し、及び重ねて配置される。
第１立上げ平板部６３（左側・第1立上げ平板部）は、側板縁５１Ｄの上側板縁５１Ｅに隣設する第２直線ＬＢに沿って、積載平板部６１の表面６１Ｘ側に起立（立設）される。これにより、第１立上げ平板部６３（左側・第１立上げ平板部）は、側板縁５１Ｄの上側板縁５１Ｅに隣設する第２直線ＬＢを境（境界線）として、立上げ及び立下げた側脚平板部７６（左側・側脚平板部）に平行し、及び重ねて配置される。
【０２０３】
上平板５５を下平板５４の表面５４Ｘに折返した状態において、各第２立上げ平板部７２，７３は、図７４、図７７及び図７８に示すように、各側脚平板部７５，７６の立上げ及び立下げ、各第１立上げ平板部６２，６３の立上げと共に、各第２直線ＬＢ，ＬＢに沿って、積載平板部６１の表面６１Ｘ側に立上げられる。
第２立上げ平板部７２（右側・第２立上げ平板部）は、側板縁５１Ｃの上側板縁５１Ｅに隣設する第２直線ＬＢに沿って、積載平板部６１の表面６１Ｘ側に起立（立設）される。これにより、第２立上げ平板部７２は、側板縁５１Ｃの上側板縁５１Ｅに隣設する第２直線ＬＢを境（境界線）として第１立上げ平板部６２（右側・第１立上げ平板部）に平行し、及び重ねて配置される。
第２立上げ平板部７３（左側・第２立上げ平板部）は、側板縁５１Ｄの上側板縁５１Ｅに隣設する第２直線ＬＢに沿って、積載平板部６１の表面６１Ｘ側に起立（立設）される。これにより、第２立上げ平板部７３は、側板縁５１Ｄの上側板縁５１Ｅに隣設する第２直線ＬＢを境（境界線）として第１立上げ平板部６３（左側・第２立上げ平板部）に平行し、及び重ねて配置される。
【０２０４】
各第１立上げ平板部６２，６３、及び各第２立上げ平板部７２，７３は、例えば、積載平板部６１の表面６１Ｙに直交して立上げられる。各側脚平板部７５，７６は、例えば、積載平板部６１の表面６１Ｘに直交して立上げられ、及び積載平板部６１の裏面６１Ｙに直交して立下げられる。
【０２０５】
側脚平板部７５、第１立上げ平板部６２及び第２立上げ平板部７２（右側）は、積載平板部６１の表面６１Ｘ側の立上げにより、積載平板部６１側から第２立上げ平板部７２、第１立上げ平板部６２及び側脚平板部７５の順に並設される。右側・第１立上げ平板部６２は、第５及び第６直線ＬＥ，ＬＦの間（折曲平板部８１）に位置して、第２立上げ平板部７２及び側脚平板部７５で挟まれる。
側脚平板部７６、第１立上げ平板部６３及び第２立上げ平板部７３（左側）は、積載平板部６１の表面６１Ｘ側の立上げにより、積載平板部６１側から第２立上げ平板部７３、第１立上げ平板部６３及び側脚平板部７６の順に並設され、側脚平板部７５、第１立上げ平板部６２及び第２立上げ平板部７２（右側）に対向して配置される。右側・第１立上げ平板部６３は、第５及び第６直線ＬＥ，ＬＦの間（折曲平板部８２）に位置して、第２立上げ平板部７３及び側脚平板部７６で挟まれる。
【０２０６】
各側脚平板部７５，７６を立上げた状態において、各折曲平板部８１，８２は、積載平板部６１の表面６１Ｘに第１鋭角度θ１をなして配置される。
各第１立上げ平板部６２，６３及び第２立上げ平板部７２，７３を立上げた状態において、各第２下側板縁部５１Ｈ，５１Ｈ、及び各上側板縁部５１Ｉ，５１Ｉは、積載平板部６１の表面６１Ｘに第１鋭角度θ１をなして配置される。
【０２０７】
各第１折込平板部８３，８４は、図７５に示すように、各第８直線ＬＩ，ＬＩ、及び各第１折曲切込直線ＬＡ１，ＬＡ１に沿って、立上げた各第１立上げ平板部６２，６３、及び立上げた各第２立上げ直線７２，７３の間に折込まれて配置される。
各第２折込平板部８５，８６は、図７５に示すように、各第１０直線ＬＮ，ＬＮ、及び第１折曲切込直線ｌＡ１，ＬＡ１に沿って、立上げた各第１立上げ平板部６２，６３、及び立上げた各第２立上げ平板部７２，７３の間に折込まれて配置される。
これにより、梱包用緩衝材Ｙ２は、物品Ｚ（商品）を梱包して組立てられる。
【０２０８】
物品Ｚ（商品）を梱包して組立てられた梱包用緩衝材Ｙ２（以下、「組立て梱包した梱包用緩衝材Ｙ２」という）は、運送（運搬）する際に、図７９に示すように、直方体の梱包箱Ｂ内に収納される。
組立て梱包した梱包用緩衝材Ｙ２は、図７９乃至図８１に示すように、積載平板部６の裏面６Ｙ側から梱包箱Ｂに収納される。
組立て梱包した梱包用緩衝材Ｙ２は、図８１に示すように、下脚平板部６３（基礎平板体５１）の下板縁５１Ｂ、上脚平板部７４（基礎平板体５１）の第１上板縁部５１Ｊ（上板縁５１Ａ）、及び各側平板部７５，７６（基礎平板体５１）の各第２上板縁部５１Ｋ，５１Ｋを梱包箱Ｂの底平板２５に当接して、梱包箱Ｂ内に収納される。また、組立て梱包した梱包用緩衝材Ｙ２は、図８１に示すように、梱包窓穴７１の下板縁７１Ｄ側において、積載平板部６1の裏面６１Yを梱包箱Ｂの底平板に当接して、梱包箱Ｂ内に収納される。
続いて、組立て梱包した梱包用緩衝材Ｙ１を収納した梱包箱Ｂは、梱包箱Ｂの蓋平板２７を閉じ、及び蓋平板２７を、立上げた各第１及び各第２立上げ平板部６２，６３，７２，７３に当接して運送する。
【０２０９】
第４実施形態の梱包用緩衝材Ｙ２において、補強平板９１は、梱包窓穴７１の下窓穴縁７１Ｄ上の直線に沿って積載平板部６１に連設すれば良く、梱包窓穴７１の下窓穴縁７１Ｄは、図１及び図２０で説明したと同様に、第１直線ＬＡ上に位置して配置しても良く、上下方向ＵＤにおいて、第１直線ＬＡより基礎平板体５１の下板縁５１Ｂ側に位置して配置しても良い。
【産業上の利用可能性】
【０２１０】
本発明は、物品（商品）を梱包して運送（運搬）するのに最適である。
【符号の説明】
【０２１１】
Ｘ１  梱包用緩衝材
Ｌ１  第１直線（第１折曲直線）
Ｌ２  第２直線（第２折曲直線）
Ｌ３  第３直線（第３折曲直線）
Ｌ４  第４直線（第４折曲直線）
１  基礎平板体
２  押えシート
３  梱包窓穴
４  下平板
５  上平板
７，８  第１立上げ平板部
１５，１６  第２立上げ平板部
１７，１８  第３立上げ平板部
１９  折返平板部
【図１】
2018076086.tif 000005
【図２】
2018076086.tif 000006
【図３】
2018076086.tif 000007
【図４】
2018076086.tif 000008
【図５】
2018076086.tif 000009
【図６】
2018076086.tif 000010
【図７】
2018076086.tif 000011
【図８】
2018076086.tif 000012
【図９】
2018076086.tif 000013
【図１０】
2018076086.tif 000014
【図１１】
2018076086.tif 000015
【図１２】
2018076086.tif 000016
【図１３】
2018076086.tif 000017
【図１４】
2018076086.tif 000018
【図１５】
2018076086.tif 000019
【図１６】
2018076086.tif 000020
【図１７】
2018076086.tif 000021
【図１８】
2018076086.tif 000022
【図１９】
2018076086.tif 000023
【図２０】
2018076086.tif 000024
【図２１】
2018076086.tif 000025
【図２２】
2018076086.tif 000026
【図２３】
2018076086.tif 000027
【図２４】
2018076086.tif 000028
【図２５】
2018076086.tif 000029
【図２６】
2018076086.tif 000030
【図２７】
2018076086.tif 000031
【図２８】
2018076086.tif 000032
【図２９】
2018076086.tif 000033
【図３０】
2018076086.tif 000034
【図３１】
2018076086.tif 000035
【図３２】
2018076086.tif 000036
【図３３】
2018076086.tif 000037
【図３４】
2018076086.tif 000038
【図３５】
2018076086.tif 000039
【図３６】
2018076086.tif 000040
【図３７】
2018076086.tif 000041
【図３８】
2018076086.tif 000042
【図３９】
2018076086.tif 000043
【図４０】
2018076086.tif 000044
【図４１】
2018076086.tif 000045
【図４２】
2018076086.tif 000046
【図４３】
2018076086.tif 000047
【図４４】
2018076086.tif 000048
【図４５】
2018076086.tif 000049
【図４６】
2018076086.tif 000050
【図４７】
2018076086.tif 000051
【図４８】
2018076086.tif 000052
【図４９】
2018076086.tif 000053
【図５０】
2018076086.tif 000054
【図５１】
2018076086.tif 000055
【図５２】
2018076086.tif 000056
【図５３】
2018076086.tif 000057
【図５４】
2018076086.tif 000058
【図５５】
2018076086.tif 000059
【図５６】
2018076086.tif 000060
【図５７】
2018076086.tif 000061
【図５８】
2018076086.tif 000062
【図５９】
2018076086.tif 000063
【図６０】
2018076086.tif 000064
【図６１】
2018076086.tif 000065
【図６２】
2018076086.tif 000066
【図６３】
2018076086.tif 000067
【図６４】
2018076086.tif 000068
【図６５】
2018076086.tif 000069
【図６６】
2018076086.tif 000070
【図６７】
2018076086.tif 000071
【図６８】
2018076086.tif 000072
【図６９】
2018076086.tif 000073
【図７０】
2018076086.tif 000074
【図７１】
2018076086.tif 000075
【図７２】
2018076086.tif 000076
【図７３】
2018076086.tif 000077
【図７４】
2018076086.tif 000078
【図７５】
2018076086.tif 000079
【図７６】
2018076086.tif 000080
【図７７】
2018076086.tif 000081
【図７８】
2018076086.tif 000082
【図７９】
2018076086.tif 000083
【図８０】
2018076086.tif 000084
【図８１】
2018076086.tif 000085